(57)【要約】  本明細書の実施形態は、ユーザ機器（ＵＥ）（１２０）によって実施されるべきモビリティ測定を設定するための、ネットワークノード（１１０）によって実施される方法に関する。ネットワークノード（１１０）は、ＵＥ（１２０）に設定メッセージを送る。設定メッセージは、単一の測定対象に関連付けられた複数の測定オフセットを含む。測定オフセットは、測定リポートをトリガするためのオフセット値を指示する。複数の測定リポートトリガリングオフセットの各々は、それぞれの測定に関係する。本明細書の実施形態は、モビリティ測定を実施するための、ＵＥ（１２０）によって実施される方法にさらに関する。ＵＥ（１２０）は、単一の測定対象に関連付けられた複数の測定オフセットを受信し、測定オフセットは、測定リポートをトリガするためのオフセット値を指示し、複数の測定オフセットの各々は、それぞれの測定に関係する。ＵＥ（１２０）は、測定リポート送信をトリガするために測定オフセットを考慮に入れてモビリティ測定プロセスをさらに実施する。【選択図】図１
2020530698.tif 000002
【特許請求の範囲】
【請求項１】
ユーザ機器（ＵＥ）（１２０）のためのモビリティ測定を設定するための、ネットワークノード（１１０）によって実施される方法であって、前記方法は、
−  前記ＵＥ（１２０）に設定メッセージを送ること（３０２）であって、前記設定メッセージが、単一の測定対象に関連付けられた複数の測定オフセットを含み、前記測定オフセットが、測定リポートをトリガするためのオフセット値を指示し、前記複数の測定リポートトリガリングオフセットの各々が、それぞれの測定に関係する、設定メッセージを送ること（３０２）
を含む、方法。
【請求項２】
前記測定リポートトリガリングオフセットがトリガ量ごとに規定される、請求項１に記載の方法。
【請求項３】
前記トリガ量が、参照信号受信電力（ＲＳＲＰ）、参照信号受信品質（ＲＳＲＱ）、および／または信号対干渉プラス雑音比（ＳＩＮＲ）である、請求項２に記載の方法。
【請求項４】
前記測定リポートトリガリングオフセットが、前記ＵＥ（１２０）のための前記モビリティ測定のために設定された参照信号タイプ（ＲＳタイプ）ごとに規定される、請求項１から３のいずれか一項に記載の方法。
【請求項５】
前記ＲＳタイプが、同期信号（ＳＳ）ブロックＲＳまたはＣＳＩ−ＲＳである、請求項４に記載の方法。
【請求項６】
前記測定リポートトリガリングオフセットが、セル品質導出パラメータごとに規定される、請求項１から５のいずれか一項に記載の方法。
【請求項７】
前記測定対象は、前記ＵＥ（１２０）が前記モビリティ測定を実施する周波数を含む、請求項１から６のいずれか一項に記載の方法。
【請求項８】
前記測定対象は、前記ＵＥ（１２０）が前記モビリティ測定を実施するいくつかのセルを含む、請求項１から７のいずれか一項に記載の方法。
【請求項９】
前記方法が、
前記ＵＥ（１２０）のための前記モビリティ測定のための必要とされる測定リポートトリガリングオフセット設定を決定すること（３０１）
をさらに含む、請求項１から８のいずれか一項に記載の方法。
【請求項１０】
ＵＥ（１２０）のためのモビリティ測定を設定するための方法を実施するためのネットワークノード（１１０）であって、前記ネットワークノード（１１０）は、
−  前記ＵＥ（１２０）に設定メッセージを送ることであって、前記設定メッセージが、単一の測定対象に関連付けられた複数の測定オフセットを含み、前記測定オフセットが、測定リポートをトリガするためのオフセット値を指示し、前記複数の測定リポートトリガリングオフセットの各々が、それぞれの測定に関係する、設定メッセージを送ること
を行うように設定された、ネットワークノード（１１０）。
【請求項１１】
前記ネットワークノード（１１０）が、
−  前記測定リポートトリガリングオフセットをトリガ量ごとに規定すること
を行うように設定された、請求項１０に記載のネットワークノード（１１０）。
【請求項１２】
前記トリガ量が、参照信号受信電力（ＲＳＲＰ）、参照信号受信品質（ＲＳＲＱ）、および／または信号対干渉プラス雑音比（ＳＩＮＲ）である、請求項１０に記載のネットワークノード（１１０）。
【請求項１３】
前記ネットワークノード（１１０）が、
−  前記測定リポートトリガリングオフセットを、設定されたＲＳタイプごとに規定すること
を行うように設定された、請求項１０から１２のいずれか一項に記載のネットワークノード（１１０）。
【請求項１４】
前記ネットワークノード（１１０）が、
−  前記測定リポートトリガリングオフセットをセル品質導出パラメータごとに規定すること
を行うように設定された、請求項８から１０のいずれか一項に記載のネットワークノード（１１０）。
【請求項１５】
前記ネットワークノード（１１０）が、
−  前記測定リポートトリガリングオフセットを各測定識別子について異なる値にセットすること
を行うように設定された、請求項８から１１のいずれか一項に記載のネットワークノード（１１０）。
【請求項１６】
前記ネットワークノード（１１０）が、
−  前記ＵＥ（１２０）のための必要とされる測定リポートトリガリングオフセット設定を決定すること
を行うように設定された、請求項８から１２のいずれか一項に記載のネットワークノード（１１０）。
【請求項１７】
モビリティ測定を実施するための、ユーザ機器（ＵＥ）（１２０）によって実施される方法であって、前記方法は、
−  単一の測定対象に関連付けられた複数の測定オフセットを受信すること（４０１）であって、前記測定オフセットが、測定リポートをトリガするためのオフセット値を指示し、前記複数の測定オフセットの各々が、それぞれの測定のために規定される、複数の測定オフセットを受信すること（４０１）と、
−  測定リポート送信をトリガするために前記測定オフセットを考慮に入れてモビリティ測定プロセスを実施すること（４０２）と
を含む、方法。
【請求項１８】
前記測定オフセットがトリガ量ごとに設定される、請求項１７に記載の方法。
【請求項１９】
前記トリガ量が、参照信号受信電力（ＲＳＲＰ）、参照信号受信品質（ＲＳＲＱ）、および／または信号対干渉プラス雑音比（ＳＩＮＲ）である、請求項１８に記載の方法。
【請求項２０】
前記測定オフセットが、前記ＵＥ（１２０）のためのモビリティ測定のために設定された参照信号タイプ（ＲＳタイプ）ごとに設定される、請求項１７から１９のいずれか一項に記載の方法。
【請求項２１】
前記ＲＳタイプが、ＳＳブロックＲＳまたはＣＳＩ−ＲＳである、請求項２０に記載の方法。
【請求項２２】
前記測定オフセットが、セル品質導出パラメータごとに設定される、請求項１７から２１のいずれか一項に記載の方法。
【請求項２３】
前記測定対象は、前記ＵＥ（１２０）が前記モビリティ測定を実施する周波数を含む、請求項１７から２２のいずれか一項に記載の方法。
【請求項２４】
前記測定対象は、前記ＵＥ（１２０）が前記モビリティ測定を実施するいくつかのセルを含む、請求項１７から２３のいずれか一項に記載の方法。
【請求項２５】
前記ＵＥ（１２０）が、ネットワークノード（１１０）からの設定メッセージ中で前記複数の測定オフセットを受信する、請求項１７から２４のいずれか一項に記載の方法。
【請求項２６】
モビリティ測定を実施するためのユーザ機器（ＵＥ）（１２０）であって、前記ＵＥ（１２０）は、
−  単一の測定対象に関連付けられた複数の測定オフセットを受信することであって、前記測定オフセットが、測定リポートをトリガするためのオフセット値を指示し、前記複数の測定オフセットの各々が、それぞれの測定に関係する、複数の測定オフセットを受信することと、
−  測定リポート送信をトリガするために前記測定オフセットを考慮に入れてモビリティ測定プロセスを実施することと
を行うように設定された、ユーザ機器（ＵＥ）（１２０）。
【請求項２７】
前記ＵＥ（１２０）が、
−  ネットワークノード（１１０）からの設定メッセージ中で前記複数の測定オフセットを受信すること
を行うように設定された、モビリティ測定を実施するための、前記ＵＥ（１２０）。
【請求項２８】
少なくとも１つのプロセッサ上で実行されたとき、前記少なくとも１つのプロセッサに、請求項１から９および１７から２５のいずれか一項に記載の方法を行わせる命令を備える、コンピュータプログラム製品。
【請求項２９】
少なくとも１つのプロセッサ上で実行されたとき、前記少なくとも１つのプロセッサに、請求項１から９および１７から２５のいずれか一項に記載の方法を行わせる命令を備えるコンピュータプログラム製品を記憶した、コンピュータ可読記憶媒体。
【発明の詳細な説明】
【技術分野】
【０００１】
本明細書の実施形態は、セルラーネットワークなど、無線通信システムにおけるユーザ機器（ＵＥ）のためのモビリティ測定に関する。特に、本明細書の実施形態は、ネットワークノード、ＵＥ、ならびにネットワークノードおよびＵＥにおいて実施される方法に関する。
【背景技術】
【０００２】
一般的な無線通信ネットワークでは、無線通信デバイス、移動局、局（ＳＴＡ）および／またはユーザ機器（ＵＥ）としても知られる、無線デバイスが、Ｗｉ−Ｆｉネットワークなどのローカルエリアネットワークまたは無線アクセスネットワーク（ＲＡＮ）を介して、１つまたは複数のコアネットワーク（ＣＮ）に通信する。ＲＡＮは、ビームまたはビームグループと呼ばれることもあるサービスエリアまたはセルエリアに分割される地理的エリアをカバーし、各サービスエリアまたはセルエリアは、無線アクセスノード、たとえばＷｉ−Ｆｉアクセスポイントまたは無線基地局（ＲＢＳ）など、無線ネットワークノードによってサーブされ、それらは、いくつかのネットワークでは、たとえば、ノードＢ、エボルブドノードＢ（ｅＮＢ）、または第５世代（５Ｇ）ネットワークと呼ばれることもある新しい無線（ＮＲ）において示されるＧ−ＵＴＲＡＮノードＢ（ｇＮＢ）と示されることもある。サービスエリアまたはセルエリアは、無線ネットワークノードによって無線カバレッジが提供される地理的エリアである。無線ネットワークノードは、無線ネットワークノードの範囲内で、無線周波数上で動作する、チャネルまたは無線リンクと呼ばれることもあるエアインターフェースを介して、無線デバイスと通信する。
【０００３】
第４世代（４Ｇ）ネットワークとも呼ばれる、エボルブドパケットシステム（ＥＰＳ）のための仕様は、第３世代パートナーシッププロジェクト（３ＧＰＰ）内で完成されており、この作業は、たとえば、５Ｇ  ＮＲとも呼ばれる５Ｇネットワークを指定するために、来たるべき３ＧＰＰリリースにおいて続く。ＥＰＳは、Ｌｏｎｇ  Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードが、３Ｇネットワークにおいて使用されるＲＮＣにではなくＥＰＣコアネットワークに直接接続される、３ＧＰＰ無線アクセスネットワークの変形態である。概して、Ｅ−ＵＴＲＡＮ／ＬＴＥでは、３Ｇ  ＲＮＣの機能は、無線ネットワークノード、たとえばＬＴＥにおけるｅノードＢと、コアネットワークとの間で分散される。したがって、ＥＰＳのＲＡＮは、１つまたは複数のコアネットワークに直接接続された無線ネットワークノードを備える、本質的に「フラット」なアーキテクチャを有し、すなわち、無線ネットワークノードはＲＮＣに接続されない。そのことを補償するために、Ｅ−ＵＴＲＡＮ仕様は、無線ネットワークノード間の直接インターフェースを規定し、このインターフェースはＸ２インターフェースと示される。
【０００４】
マルチアンテナ技法は、無線通信システムのデータレートおよび信頼性を著しく増加させ得る。送信機と受信機の両方が複数のアンテナを装備する場合、性能が特に改善され、これは、多入力多出力（ＭＩＭＯ）通信チャネルをもたらす。そのようなシステムおよび／または関係する技法は、通常、ＭＩＭＯと呼ばれる。
【０００５】
モビリティ測定または無線リソース管理（ＲＲＭ）測定と呼ばれることもある、ＵＥ測定は、無線ネットワークがＵＥのための好適なサービングセルを選定するのを支援するために、サービングセルおよび（１つまたは複数の）ネイバリングセルの信号レベルおよび品質を監視および報告するために使用される。たとえば、カバレッジ理由、トラフィック負荷レベルまたは特定のサービスのサポートなど、現在のサービングセルから別のセルにＵＥを再配置するための、複数の理由と呼ばれることもある様々な理由があり得る。
【０００６】
ＵＥ測定は、たとえば無線ネットワークノードを介して、無線ネットワークによって設定され、ＵＥが使用する測定および報告のための条件を指定するためにいくつかのパラメータが関与する。ＬＴＥでは、Ｅ−ＵＴＲＡＮによってＵＥに提供されるＵＥ測定設定は、３ＧＰＰ  ＴＳ３６．３３１  ｖ．１４．３．０  Ｅ−ＵＴＲＡ、無線リソース制御（ＲＲＣ）プロトコル仕様において指定されている。
【０００７】
対応する仕様、３ＧＰＰ  ＴＳ３８．３３１  ｖ．０．０．４  ＮＲ  ＲＲＣプロトコル仕様が、現在、ＮＲのために準備されている。
【０００８】
ＮＲにおける測定設定フレームワークは、３ＧＰＰ  ＴＳ３８．３３１  ｖ．０．０．４に記載されている、ＬＴＥからのフレームワークに基づき得る。ＮＲでは、ネットワークは、測定設定に従ってセルレベルおよびビームレベル測定を実施し、それらの測定を報告するように、ＲＲＣ＿ＣＯＮＮＥＣＴＥＤモードにあるＵＥを設定し得る。測定設定は専用シグナリングによって提供され得る。
【０００９】
ネットワークは、たとえば無線ネットワークノードによって、以下のタイプの測定を実施するようにＵＥを設定し得る。
−  周波数内測定：（１つまたは複数の）サービングセルの（１つまたは複数の）ダウンリンクキャリア周波数における測定。
−  周波数間測定：（１つまたは複数の）サービングセルの（１つまたは複数の）ダウンリンクキャリア周波数のいずれとも異なる周波数における測定。
−  拡張ユニバーサル地上無線アクセス（Ｅ−ＵＴＲＡ）周波数の無線アクセス技術（ＲＡＴ）間測定：サービングセルのＲＡＴとは異なるＲＡＴ上で測定が実施される。
【００１０】
測定設定は以下のパラメータを含み得る。
１．測定対象：ＵＥが測定を実施する対象のリスト。測定対象は、以下で、ｍｅａｓＯｂｊｅｃｔと呼ばれることがある。
−  ＲＡＴ間Ｅ−ＵＴＲＡ測定の場合、測定対象は、単一のＥ−ＵＴＲＡダウンリンクキャリア周波数であり得る。
２．報告設定：測定対象ごとに１つまたは複数の報告設定があり得る、報告設定のリスト。報告設定は、以下で、ｒｅｐｏｒｔＣｏｎｆｉｇと呼ばれることがある。各報告設定は以下を含む。
−  報告基準：イベントトリガ型または周期的のいずれかであり得る測定リポートを送るようにＵＥをトリガする基準。基準は、たとえば、参照信号受信電力（ＲＳＲＰ）、参照信号受信品質（ＲＳＲＱ）または信号対干渉プラス雑音比（ＳＩＮＲ）など、トリガ量をも含む。
−  参照信号（ＲＳ）タイプ：セルレベルおよびビームレベル測定のためにＵＥによって考慮されるべきＲＳ。
−  報告フォーマット：ＵＥが測定リポート中に含めるセルレベル量（ＲＳＲＰおよび／またはＲＳＲＱおよび／またはＳＩＮＲ）、および、たとえばセルの数など、関連付けられた情報）。
３．測定識別情報：各測定識別情報が１つの測定対象を１つの報告設定とリンクする、測定識別情報のリスト。複数の測定識別情報を設定することによって、２つ以上の測定対象を同じ報告設定にリンクすること、ならびに２つ以上の報告設定を同じ測定対象にリンクすることが可能であり得る。測定識別情報は、報告をトリガした測定リポート中に含まれることもあり、ネットワークへの参照として機能する。測定識別情報は、以下で、ｍｅａｓＯｂｊｅｃｔＩｄと呼ばれることがある。
４．量設定：無線アクセス技術（ＲＡＴ）タイプごとに１つの量設定が設定される。量設定は、その測定タイプのすべてのイベント評価および関係する報告のために使用される、測定量および関連付けられたフィルタ処理を規定する。
５．測定ギャップ：ＵＥが測定を実施するために使用し得る期間、すなわち、アップリンク（ＵＬ）および／またはダウンリンク（ＤＬ）送信がスケジュールされない期間。
【００１１】
ＬＴＥでは、測定設定は、ＵＥが測定を実施する測定対象に関連付けられたトリガリングイベントを含んでいる報告設定をＵＥに提供する。各リポート設定に関連して、ネットワークノードは、ＵＥが測定を実施するパラメータである、１つのトリガ量を選択し得る。ネットワークはまた、各測定対象のための測定リポートトリガリングオフセットをセットし得る。
【００１２】
しかしながら、無線ネットワークがＵＥのための好適なサービングセルを選定するのをさらに支援するために、ＵＥ測定を改善する必要がある。
【発明の概要】
【００１３】
本明細書の実施形態の目的は、特にＵＥのための測定トリガリングオフセットを設定するための方法を提供することによって、無線通信ネットワークの性能を向上させることである。
【００１４】
本明細書の実施形態の第１の態様によれば、目的は、ＵＥのためのモビリティ測定を設定するための、ネットワークノードによって実施される方法によって達成される。ネットワークノードはＵＥに設定メッセージを送る。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。
【００１５】
本明細書の実施形態の第２の態様によれば、目的は、ＵＥのためのモビリティ測定を設定するための方法を実施するためのネットワークノードによって達成される。ネットワークノードはＵＥに設定メッセージを送るように設定される。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。
【００１６】
本明細書の実施形態の第３の態様によれば、目的は、モビリティ測定を実施するための、ＵＥによって実施される方法によって達成される。ＵＥはネットワークノードから設定メッセージを受信する。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。ＵＥは、測定リポート送信をトリガするために測定オフセットを考慮に入れてモビリティ測定プロセスをさらに実施する。
【００１７】
本明細書の実施形態の第４の態様によれば、目的は、モビリティ測定を実施するためのＵＥによって達成される。ＵＥは、ネットワークノードから設定メッセージを受信するように設定される。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。ＵＥは、測定リポート送信をトリガするために測定オフセットを考慮に入れてモビリティ測定プロセスを実施するようにさらに設定される。
【００１８】
本明細書の実施形態の第５の態様によれば、目的は、少なくとも１つのプロセッサ上で実行されたとき、少なくとも１つのプロセッサに、本明細書の実施形態の第１および／または第３の態様による方法を行わせる命令を備える、コンピュータプログラム製品によって達成される。
【００１９】
少なくとも１つのプロセッサ上で実行されたとき、少なくとも１つのプロセッサに、本明細書の実施形態の第１および／または第３の態様による方法を行わせる命令を備えるコンピュータプログラム製品を記憶した、コンピュータ可読記憶媒体。
【００２０】
たとえばセル個別オフセットおよび周波数オフセットなど、複数の測定オフセットを設定することによって、以下の利益が達成される。
・仕様における、測定オフセットなどのパラメータを符号化するためのより直観的なやり方が提供される。
・測定オフセットは、接続中断およびビットレート低下を最小限に抑えるために、モビリティロバストネス最適化（ＭＲＯ：ｍｏｂｉｌｉｔｙ  ｒｏｂｕｓｔｎｅｓｓ  ｏｐｔｉｍｉｚａｔｉｏｎ）を改善することができる。ＭＲＯの結果を最適化するために、トリガ量ごとにおよび／またはＲＳ−タイプごとに、異なるオフセットがセットされ得る。本明細書の実施形態によるソリューションは、より良い最適化特徴を提供し、したがって、より良いネットワーク性能が達成され得る。
・個別の測定オフセットを設定することによって、たとえばＭＲＯのためのなど、ある目的のための最適化されたオフセットは、たとえば負荷分散またはサービストリガ型モビリティなど、他の目的のための測定に悪影響を及ぼさない。それにより、より良いネットワーク性能が達成され得る。
・本明細書の実施形態は、さらに、手動方法と自動方法の両方について、ビームレベル測定に基づくモビリティの微調整を可能にし、これも、ネットワークおよびＵＥについてより良い性能をもたらす。
【００２１】
測定オフセットは、単一の測定対象に関連付けられ、測定リポートをトリガするためのオフセット値を指示し、したがって、本明細書では、測定リポートトリガリングオフセットと呼ばれることもある。
【図面の簡単な説明】
【００２２】
【図１】無線通信ネットワークの実施形態を示す概略ブロック図である。
【図２】ネットワークノードがＵＥ測定を設定するために必要とされるシグナリングを示すシグナリング図である。
【図３】ネットワークノードによって実施される方法を示すフローチャートである。
【図４】ＵＥによって実施される方法を示すフローチャートである。
【図５ａ】ネットワークノードのいくつかの第１の実施形態を示す概略ブロック図である。
【図５ｂ】ネットワークノードのいくつかの第２の実施形態を示す概略ブロック図である。
【図６ａ】ＵＥのいくつかの第１の実施形態を示す概略ブロック図である。
【図６ｂ】ＵＥのいくつかの第２の実施形態を示す概略ブロック図である。
【発明を実施するための形態】
【００２３】
現在のＬＴＥ仕様によれば、通信ネットワークがＵＥのための測定報告を設定するとき、通信ネットワークは各測定対象について１つのオフセットをセットする。したがって、ＵＥのために設定されたイベントに関連付けられたｔｒｉｇｇｅｒＱｕａｎｔｉｔｙに関係なく、同じオフセットがセットされる。言い換えれば、たとえばＲＳＲＰ量に基づく第１のイベントＡ１は、たとえばＡ１またはＡ２などの第２のイベントが、たとえばＲＳＲＱに基づくにもかかわらず、第２のイベントと同じ、測定オフセットなどのセル固有オフセットが設定される。いくつかのリポート設定が同じ測定対象に接続されるとき、知られているソリューションに関するさらなる問題が発生し得る。異なるリポート設定が、たとえばカバレッジトリガ型モビリティまたは負荷分散目的など、異なる目的に関係し、したがって、測定報告に関する異なる要件を有し得る。しかしながら、たとえばオフセットがセットされたセルの同じリストを含むなど、同じ測定対象に関連付けられた複数のイベントがあり得、これらの複数のイベントは、異なるトリガ量を有し得る。
【００２４】
現在のＬＴＥ仕様３ＧＰＰ  ＴＳ３６．３３１  ｖ．１４．３．０によれば、Ｅ−ＵＴＲＡＮがＵＥ測定を設定するとき、イベント測定において考慮されるべき特定の周波数および／または特定のセルのためにオフセットを割り振ることが可能である。たとえば、以下にリストされたＡ３、Ａ４、Ａ５、Ａ６、Ｂ１、Ｂ２などのイベントにおいて、ネイバーセルの周波数の周波数固有オフセット（Ｏｆｎ）、ネイバーセルのセル固有オフセット（Ｏｃｎ）、１次セル（ＰＣｅｌｌ）および／または１次２次セル（ＰＳＣｅｌｌ）の周波数の周波数固有オフセット（Ｏｆｐ）、ならびにＰＣｅｌｌ／ＰＳＣｅｌｌのセル固有オフセット（Ｏｃｐ）への参照が行われる。
Ａ１  サービングがしきい値よりも良くなる
Ａ２  サービングがしきい値よりも悪くなる
Ａ３  ネイバーがＰＣｅｌｌよりもオフセットだけ良くなる
Ａ４  ネイバーがしきい値よりも良くなる
Ａ５  ＰＣｅｌｌがしきい値１よりも悪くなり、ネイバーがしきい値２よりも良くなる
Ａ６  ネイバーがＳＣｅｌｌよりもオフセットだけ良くなる
Ｃ１  チャネル状態情報（ＣＳＩ）−ＲＳリソースがしきい値よりも良くなる
Ｃ２  ＣＳＩ−ＲＳリソースが参照ＣＳＩ−ＲＳリソースよりもオフセットだけ良くなる
Ｂ１  ＲＡＴ間ネイバーがしきい値よりも良くなる
Ｂ２  ＰＣｅｌｌがしきい値１よりも悪くなり、ＲＡＴ間ネイバーがしきい値２よりも良くなる
Ｖ１  チャネルビジー率がしきい値を上回る
Ｖ２  チャネルビジー率がしきい値を下回る
【００２５】
ＬＴＥでは、ＵＥにシグナリングされるオフセットが、測定対象ごとに規定される。測定対象、すなわち、ＵＥが測定を実施するように要求された所与のキャリア周波数上のセルの周波数または数。３ＧＰＰ  ＴＳ３６．３３１  ｖ．０からのＬＴＥにおける測定対象の規定が、本明細書の付録１において開示される。測定対象を使用してセットされ得るセル固有オフセット設定の一部は、Ｑ−ＯｆｆｓｅｔＲａｎｇｅである。Ｑ−ＯｆｆｓｅｔＲａｎｇｅは、セル再選択のための候補セルを評価するときに、または測定報告のためのトリガリング条件を評価するときに適用されるべき、セル、ＣＳＩ−ＲＳリソースまたは周波数固有オフセットを指示するために使用され得る。Ｑ−ＯｆｆｓｅｔＲａｎｇｅはデシベル（ｄＢ）単位で指示される。値ｄＢ−２４が−２４ｄＢに対応し、ｄＢ−２２が−２２ｄＢに対応し、以下同様である。
【００２６】
Ｑ−ＯｆｆｓｅｔＲａｎｇｅ情報エレメント
2020530698.tif 000003
【００２７】
ＬＴＥにおける既存のソリューションでは、たとえば同じネイバー周波数など、同じｍｅａｓＯｂｊｅｃｔＩｄに関して設定された、一方がＲＳＲＰトリガ量を伴い、他方がＲＳＲＱトリガ量を伴う、たとえば２つのＡ５リポート設定など、同時測定がある場合、同じオフセット値が両方のイベント評価のために適用されるが、これは常に最良の挙動であるとは限らない。
【００２８】
上記の例における両方のＡ５リポートは、同じトリガ量ＲＳＲＰを伴って設定されるが、それらのリポートは異なる目的に関係し得、それらのリポートの両方についてオフセットが使用されることが望まれないことがある。異なるリポート設定は、たとえばカバレッジトリガ型モビリティまたは負荷分散目的など、異なる目的に関係し得るので、各リポート設定について異なるオフセットを有することが望まれる。
【００２９】
要約すれば、最先端のソリューションは、ネットワークが、ＲＳＲＰ、ＲＳＲＱ、ＳＩＮＲなど、異なるトリガ測定量のために設定されることと呼ばれることもある、異なるトリガ測定量に対応する異なるオフセットを設定することを可能にしない。
【００３０】
したがって、本明細書の実施形態は、ネットワークノードが複数の測定オフセットを伴ってＵＥを設定することを可能にするための方法に関し、それらの測定オフセットは、本明細書では、同じ測定対象に関連付けられたＲＳＲＰまたはＲＳＲＱ値のためのオフセットなど、測定リポートトリガリングオフセットまたはオフセットと呼ばれることもあり、それらの測定対象は、測定されるべき周波数、たとえば絶対無線周波数チャネル番号（ＡＲＦＣＮ：Ａｂｓｏｌｕｔｅ  Ｒａｄｉｏ−Ｆｒｅｑｕｅｎｃｙ  Ｃｈａｎｎｅｌ  Ｎｕｍｂｅｒ）によって指示されるキャリア周波数に関連付けられ得る。
【００３１】
本明細書の実施形態は、主に、イベントおよび測定報告をトリガし得るセルベース測定のために規定され得るが、本明細書の実施形態の原理は、ビームレベル測定にも適用され得る。
【００３２】
仕様、３ＧＰＰ  ＴＳ３８．３３１  ｖ．０．０．４  ＮＲ  ＲＲＣプロトコル仕様は、適用可能な場合にＥ−ＵＴＲＡＮバージョンと部分的に同様であり得る。
【００３３】
本明細書の実施形態では、周波数固有オフセットとセル固有オフセットとを含み得る、複数の測定リポートトリガリングオフセットは、たとえば、以下のものなど、異なるレベルのグラニュラリティにおいて設定され得る。
−  トリガ量、たとえば、ＲＳＲＰ、ＲＳＲＱおよび／またはＳＩＮＲ、あるいは任意の他の品質関係メトリックごとに、
−  たとえば同期信号（ＳＳ）ブロックＲＳまたはチャネル状態情報参照信号（ＣＳＩ−ＲＳ）など、設定されたＲＳタイプごとに、
−  たとえば、平均化されるべきビームの最大数、平均化のための好適なビームを選択するための絶対しきい値など、セル品質導出パラメータごとに、
−  あるいはこれらの任意の組合せ、たとえば、
〇  セル測定のトリガ量（たとえばＲＳＲＰ、ＲＳＲＱ）ごとに
〇  セル測定のトリガ量およびＲＳタイプ（たとえば、同期信号（ＳＳ）ブロックに基づくセルＲＳＲＰ、ＣＳＩ−ＲＳに基づくセルＲＳＲＱ）ごとに
〇  その他。
【００３４】
測定リポートをトリガするためのオフセット値を指示する測定オフセットは、たとえば、各測定識別子、すなわち、１つの測定対象（ｍｅａｓＯｂｊｅｃｔＮＲ）にリンクされた１つの設定されたイベント（ｒｅｐｏｒｔＣｏｎｆｉｇＮＲ）について、異なる値にセットされ得る。したがって、測定識別子は、設定されたイベントと測定対象との組合せである。
【００３５】
測定対象ごとの現在のオフセット規定は、セル再選択評価プロセスのためにアイドルモードにおいて使用される同様のオフセットから継承され得る。それらのオフセットは、ｑ−ＯｆｆｓｅｔＣｅｌｌ（３ＧＰＰ  ＴＳ３６．３０４  ｖ．１４．３．０中のパラメータ「Ｑｏｆｆｓｅｔｓ，ｎ」）およびｑ−ＯｆｆｓｅｔＦｒｅｑ（３ＧＰＰ  ＴＳ３６．３０４  ｖ．１４．３．０中のパラメータ「Ｑｏｆｆｓｅｔｆｒｅｑｕｅｎｃｙ」）と呼ばれ、これらはＳＩＢ４およびＳＩＢ５においてブロードキャストされる。しかしながら、測定対象ごとの現在のオフセット規定は、ＲＳＲＰ測定におよびセル再選択の特定の目的に適用されるように意図されているにすぎない。３ＧＰＰ  ＴＳ３６．３０４  ｖ．１４．３．０におけるＲ基準規定を参照されたい。しかしながら、同じオフセットが、同様に、接続モードにおける「ＲＳＲＰベースのカバレッジトリガ型モビリティ」にも適用可能であり得る。
【００３６】
本明細書の実施形態は、たとえばＮＲ測定のために、ＲＲＭ測定において使用される周波数固有オフセットおよびセル固有オフセットの設定を改善することに関する。これは、他のネットワーク機能に影響を及ぼすことなしに、セルラーネットワークにおける手動および自動モビリティ最適化を可能にする。
【００３７】
図１は、本明細書の実施形態のうちの少なくともいくつかが使用され得る、例示された無線通信ネットワーク１００における通信シナリオを示す。無線通信ネットワーク１００は、１つまたは複数のＵＥ１２０を備える。ＵＥ１２０は、たとえば、モバイルフォン、スマートフォン、ラップトップコンピュータ、タブレットコンピュータ、マシン型通信（ＭＴＣ）デバイス、移動局、局（ＳＴＡ）、または、無線通信を提供することができ、したがって無線デバイスと呼ばれることもある、任意の他のデバイスであり得る。ＵＥ１２０は、たとえばＷｉ−Ｆｉネットワークなどのローカルエリアネットワーク（ＬＡＮ）、あるいは、たとえば拡張ユニバーサル地上無線アクセスネットワーク（Ｅ−ＵＴＲＡＮ）または第５世代（５Ｇ）ＲＡＮなどの無線アクセスネットワーク（ＲＡＮ）など、無線通信ネットワーク１００を介して、たとえばエボルブドパケットコア（ＥＰＣ）または第５世代コア（５ＧＣ）などの１つまたは複数のコアネットワーク（ＣＮ）１３に通信し得る。無線通信ネットワーク１００は、たとえば、無線アクセスノード、たとえばＷｉ−Ｆｉアクセスポイントまたは無線基地局（ＲＢＳ）など、１つまたは複数のネットワークノード１１０をさらに備え、それらは、いくつかのネットワークでは、たとえば、ノードＢ、ｅＮＢ、または新しい無線（ＮＲ）において示されるｇＮＢと示されることもある。ＮＲは、第５世代無線システム（５Ｇ）と呼ばれることもある。１つまたは複数のネットワークノード１１０の各々は、たとえばセル、ビームまたはビームグループと呼ばれることもある、１つまたは複数のカバレッジエリア１１５をサーブする。ＵＥ１２０のための最良の利用可能なセルを決定するために、ＵＥ１２０は、サービングセルおよび（１つまたは複数の）ネイバリングセルの信号レベルおよび品質を監視および報告するために、モビリティ測定と呼ばれることもある測定を実施し得る。測定は、次いで、ＵＥ１２０からネットワークノード１１０に送られ得、ネットワークノード１１０がＵＥ１２０のための好適なサービングセルを選定するのを支援するために使用され得る。たとえば、カバレッジ理由、トラフィック負荷レベルまたは特定のサービスのサポートなど、現在のサービングセルから別のセルにＵＥ１２０を再配置するための様々な理由があり得る。リポートがＵＥ１２０によってネットワークノード１１０に送られるようにトリガされたとき、イベントが遂行されたと呼ばれる。
【００３８】
Ｅ−ＵＴＲＡ仕様では、「周波数固有オフセット」および「セル固有オフセット」に関係するＵＥアクションに関する、イベントＡ３に関係する以下のプロシージャテキストが存在する。
********************************************************************************
５．５．４．４  イベントＡ３（ネイバーがＰＣｅｌｌ／ＰＳＣｅｌｌよりもオフセットだけ良くなる）
The UE shall:
1>   consider the entering condition for this event to be satisfied when condition A3-1, as specified below, is fulfilled;
1>   consider the leaving condition for this event to be satisfied when condition A3-2, as specified below, is fulfilled;
1>   if usePSCell of the corresponding reportConfig is set to true:
2>   use the PSCell for Mp, Ofp and Ocp;
1>   else:
2>   use the PCell for Mp, Ofp and Ocp;
注  イベントをトリガする（１つまたは複数の）セルは、ＰＣｅｌｌ／ＰＳＣｅｌｌによって使用される周波数とは異なり得る、関連付けられたｍｅａｓＯｂｊｅｃｔにおいて指示された周波数上にある。
不等式Ａ３−１（入る条件（Ｅｎｔｅｒｉｎｇ  ｃｏｎｄｉｔｉｏｎ））
Ｍｎ＋Ｏｆｎ＋Ｏｃｎ−Ｈｙｓ＞Ｍｐ＋Ｏｆｐ＋Ｏｃｐ＋Ｏｆｆ
不等式Ａ３−２（出る条件（Ｌｅａｖｉｎｇ  ｃｏｎｄｉｔｉｏｎ））
Ｍｎ＋Ｏｆｎ＋Ｏｃｎ＋Ｈｙｓ＜Ｍｐ＋Ｏｆｐ＋Ｏｃｐ＋Ｏｆｆ
式中の変数は以下のように規定される。
Ｍｎは、オフセットを考慮に入れないネイバリングセルの測定結果である。
Ｏｆｎは、ネイバーセルの周波数の周波数固有オフセット（すなわち、ネイバーセルの周波数に対応するｍｅａｓＯｂｊｅｃｔＥＵＴＲＡ内で規定されたｏｆｆｓｅｔＦｒｅｑ）である。
Ｏｃｎは、ネイバーセルのセル固有オフセット（すなわち、ネイバーセルの周波数に対応するｍｅａｓＯｂｊｅｃｔＥＵＴＲＡ内で規定されたｃｅｌｌＩｎｄｉｖｉｄｕａｌＯｆｆｓｅｔ）であり、ネイバーセルのために設定されない場合は０にセットされる。
Ｍｐは、オフセットを考慮に入れないＰＣｅｌｌ／ＰＳＣｅｌｌの測定結果である。
Ｏｆｐは、ＰＣｅｌｌ／ＰＳＣｅｌｌの周波数の周波数固有オフセット（すなわち、ＰＣｅｌｌ／ＰＳＣｅｌｌの周波数に対応するｍｅａｓＯｂｊｅｃｔＥＵＴＲＡ内で規定されたｏｆｆｓｅｔＦｒｅｑ）である。
Ｏｃｐは、ＰＣｅｌｌ／ＰＳＣｅｌｌのセル固有オフセット（すなわち、ＰＣｅｌｌ／ＰＳＣｅｌｌの周波数に対応するｍｅａｓＯｂｊｅｃｔＥＵＴＲＡ内で規定されたｃｅｌｌＩｎｄｉｖｉｄｕａｌＯｆｆｓｅｔ）であり、ＰＣｅｌｌ／ＰＳＣｅｌｌのために設定されない場合は０にセットされる。
Ｈｙｓは、このイベントのためのヒステリシスパラメータ（すなわち、このイベントのためのｒｅｐｏｒｔＣｏｎｆｉｇＥＵＴＲＡ内で規定されたヒステリシス）である。
Ｏｆｆは、このイベントのためのオフセットパラメータ（すなわち、このイベントのためのｒｅｐｏｒｔＣｏｎｆｉｇＥＵＴＲＡ内で規定されたａ３−Ｏｆｆｓｅｔ）である。
Ｍｎ、Ｍｐは、ＲＳＲＰの場合はｄＢｍ単位で、またはＲＳＲＱおよびＲＳ−ＳＩＮＲの場合はｄＢ単位で表される。
Ｏｆｎ、Ｏｃｎ、Ｏｆｐ、Ｏｃｐ、Ｈｙｓ、ＯｆｆはｄＢ単位で表される。
********************************************************************************
【００３９】
また、同様のテキストが、イベントＡ４、Ａ５、Ａ６、Ｂ１およびＢ２のためにも利用可能である。
【００４０】
図２は、たとえばｅＮＢまたはｇＮＢなど、ネットワークノード１１０が、たとえばＲＲＣ接続再設定メッセージを使用して、専用シグナリングを通してＵＥ測定を設定するとき、関与するシグナリングを示す。それらの測定は、（図に示されていない）ＲＲＣ接続再開メッセージを介して設定されることもある。ＮＲの場合、ＵＥ１２０への測定設定は、（１つまたは複数の）他のＲＲＣメッセージを使用して提供されることもある。
【００４１】
アクション２０１：ネットワークノード１１０は、ＵＥ１２０のために必要とされる測定リポートトリガリング設定を決定し得る。
【００４２】
アクション２０２：ネットワークノード１１０は、ＲＲＣ接続再設定メッセージ、ＲＲＣ接続再開メッセージまたは任意の同様のＲＲＣメッセージなど、設定メッセージをＵＥ１２０に送る。設定メッセージは、単一の測定対象、たとえば品質に関連付けられた、複数の測定オフセットを含む。測定オフセットは、測定リポートをトリガするためのオフセット値を指示する。複数の測定オフセットの各々、たとえば第１の品質のための第１のオフセットおよび第２の品質のための第２のオフセットは、それぞれの測定に関係する。言い換えれば、測定オフセットの各々は、異なる測定に関係し得る。
【００４３】
アクション２０３：ＵＥ１２０は、受信された設定メッセージに基づいて再設定を実施し得、再設定が完了されたことを指示するＲＲＣ接続再設定完了メッセージをネットワークノード１１０に送り得る。
【００４４】
アクション２０４：ＵＥ１２０は、ＵＥ１２０のためのモビリティ測定など、測定を開始し、これは、本明細書では測定を実施すると呼ばれることもある。モビリティ測定は、本明細書ではリポートトリガリング設定と呼ばれることもある、受信された測定オフセットに基づいて、ＵＥ１２０によって報告され得る。測定リポートは、したがって、測定が、しきい値＋設定されたオフセットに達するとき、ネットワークノード１１０に送られ得る。
【００４５】
本明細書で開示される実施形態は、図２において開示されるシグナリングシーケンスを使用し得るが、ＥＵＴＲＡＮのために現在規定されている情報エレメント（ＩＥ）ＭｅａｓＣｏｎｆｉｇコンテンツの更新を提案する。
【００４６】
本明細書で開示される実施形態によれば、ＵＥ１２０は、周波数内測定、周波数間測定および／またはＲＡＴ間測定を実施するように要求され得る。ＵＥ１２０は、たとえば周期的測定またはイベント測定など、異なる報告基準を伴って、異なる周波数／ＲＡＴ上の複数の同時測定を実施するように要求され得る。異なる報告設定は、異なるトリガ量を有し得る。
【００４７】
さらに、ＮＲにおけるモビリティ測定は、ＬＴＥと比較していくつかの差を有する。イベントトリガリングのためのセル品質は、たとえば、イベントおよび測定対象ごとに独立して設定され得る、ＣＳＩ−ＲＳまたはＮＲ同期信号（ＮＲ−ＳＳ）のいずれかに基づき得る。言い換えれば、たとえばネットワークノード１１０を使用する、ネットワーク１００は、たとえばイベントＡ４などのＮＲ−ＳＳのための１つまたは複数の第１のイベントと、たとえばイベントＡ３などのＣＳＩ−ＲＳのための１つまたは複数の第２のイベントとを伴って、ＵＥ１２０を設定し得る。さらなる一例では、ネットワークノード１１０は、ＣＳＩ−ＲＳとＮＲ−ＳＳとのための同じイベントであって、ただし異なる測定対象に関連付けられた同じイベントを伴って、ＵＥ１２０を設定し得る。したがって、ＳＳとＣＳＩとのためのオフセットを、独立して、すなわちそれぞれに設定することが可能であることは有益であり、これらのオフセットは、これらが同じ測定対象に関係するにもかかわらず、異なる値と呼ばれることもある。
【００４８】
本明細書の実施形態によれば、異なる測定のための異なる測定リポートトリガリングオフセットは、たとえばネットワークノード１１０などによって、ネットワークからＵＥ１２０にシグナリングされ得る。
【００４９】
ネットワークは、たとえば、複数の測定リポートトリガリングオフセットを、たとえば、以下のものなど、異なるレベルのグラニュラリティにおいて設定し得る。
−  たとえばＲＳＲＰ、ＲＳＲＱ、ＳＩＮＲまたは任意の他の品質関係メトリックなど、トリガ量ごとに、
−  たとえばＳＳブロックＲＳまたはＣＳＩ−ＲＳなど、設定されたＲＳタイプごとに、
−  たとえば、平均化されるべきビームの最大数、平均のための良好なビームを選択するための絶対しきい値など、セル品質導出パラメータごとに。
あるいは、たとえば、以下のものなど、これらの任意の組合せである。
〇  セル測定のトリガ量（たとえばＲＳＲＰ、ＲＳＲＱ）ごとに
〇  セル測定のトリガ量およびＲＳタイプ（たとえば、ＳＳブロックに基づくセルＲＳＲＰ、ＣＳＩ−ＲＳに基づくセルＲＳＲＱ）ごとに
【００５０】
最も高い度合いのグラニュラリティにおいて、ネットワークノード１１０は、測定報告をトリガする測定オフセットを、たとえば１つの測定対象（ｍｅａｓＯｂｊｅｃｔＮＲ）にリンクされた１つの設定されたイベント（ｒｅｐｏｒｔＣｏｎｆｉｇＮＲ）など、各測定識別子について、異なる値にセットし得る。
【００５１】
ｔｒｉｇｇｅｒＱｕａｎｔｉｔｙごとに
たとえばネットワークノード１１０などのネットワークは、セルごとに１つまたは複数のオフセットを伴ってＵＥ１２０を設定し得、これらのオフセットの各々は、所与のｔｒｉｇｇｅｒＱｕａｎｔｉｔｙに関連付けられる。トリガ量は、たとえば、ＲＳＲＰ、ＲＳＲＱ、ＳＩＮＲまたは任意の品質測定結果であり得る。
【００５２】
実施形態は、ｒｅｐｏｒｔＣｏｎｆｉｇごとにセル固有オフセットを規定することによって実装され得、それらのオフセットは、同じくｒｅｐｏｒｔＣｏｎｆｉｇごとに規定され得る、設定されたｔｒｉｇｇｅｒＱｕａｎｔｉｔｙに関連付けられる。ネットワークは、さらに、２つまたはそれ以上のｒｅｐｏｒｔＣｏｎｆｉｇを提供し、各々が異なるｔｒｉｇｇｅｒＱｕａｎｔｉｔｙを有し、たとえば、第１のｒｅｐｏｒｔＣｏｎｆｉｇがｔｒｉｇｇｅｒＱｕａｎｔｉｔｙとしてＲＳＲＰを有し、第２のｒｅｐｏｒｔＣｏｎｆｉｇがｔｒｉｇｇｅｒＱｕａｎｔｉｔｙとしてＲＳＲＱを有し得る。ｒｅｐｏｒｔＣｏｎｆｉｇの各々について、ネットワークノード１１０は、セルごとに異なるオフセットをセットし得る。セルリストは、たとえば、ｒｅｐｏｒｔＣｏｎｆｉｇに関連付けられたｍｅａｓＯｂｊｅｃｔ中にまたはｒｅｐｏｒｔＣｏｎｆｉｇ内に含まれ得る。
【００５３】
実施形態を実装するための別のやり方は、測定対象内でｔｒｉｇｇｅｒＱｕａｎｔｉｔｙごとにセル固有オフセットを規定することによるものであり得る。言い換えれば、リンクされたｒｅｐｏｒｔＣｏｎｆｉｇ中でセットされ得るトリガ量に適用されるべき単一のオフセットの代わりに、ネットワークは、代わりにＫ個のオフセットを提供し、ｒｅｐｏｒｔＣｏｎｆｉｇ中でセットされ得る各ｔｒｉｇｇｅｒＱｕａｎｔｉｔｙについて１つのオフセットを提供し得る。たとえば、ＮＲでは、たとえば、トリガ量としてＲＳＲＰ、ＲＳＲＱまたはＳＩＮＲをセットすることが可能である場合、測定対象は、各セルについて、たとえば３つの可能なオフセットなど、複数の可能なオフセットを含み得る。したがって、ＵＥ１２０は、異なるトリガ量のための異なる測定リポートトリガリングオフセットに基づいて、測定報告をトリガし得る。
【００５４】
ＲＳタイプごとに
ＮＲでは、セル測定結果は、異なるタイプの参照信号、すなわち、たとえば、セル識別子および／または（たとえばタイマーインデックスなどの）ビーム固有指示として符号化する、ＮＲ２次同期信号（ＮＲ−ＳＳＳ）および／またはＮＲ１次サイドリンク同期信号（ＮＲ−ＰＳＳＳ）および／または物理ブロードキャストチャネル（ＰＢＣＨ）のためのＮＲ復調用参照信号（ＮＲ−ＤＭＲＳ）など、ＳＳブロックＲＳ、あるいは、専用シグナリングを介して設定され、ＵＥ固有であるＣＳＩ−ＲＳに基づいて算出され得る。
【００５５】
ＮＲでは、セル品質が、２つのタイプのＲＳ、すなわち、ＮＲ−ＳＳ（基本的にＮＲ−ＰＳＳおよび／またはＮＲ−ＳＳＳ）およびＣＳＩ−ＲＳに基づいて算出され得るという新しい側面がある。
【００５６】
ｒｅｐｏｒｔＣｏｎｆｉｇごとにＲＳタイプを設定するために、ネットワークノード１１０は、たとえば、所与のｒｅｐｏｒｔＣｏｎｆｉｇのためのＳＳブロックベースのセル品質と、別のｒｅｐｏｒｔＣｏｎｆｉｇのためのＣＳＩ−ＲＳベースのセル品質とを測定するようにＵＥ１２０を設定し得るが、それらの両方が、２つの異なる測定ＩＤを介して同じｍｅａｓＯｂｊｅｃｔにリンクされ得る。各ＲＳタイプについて、ネットワークノード１１０は、セル固有オフセットの別個のリストを設定し得る。この実施形態を実装するための１つのやり方は、ネットワークノード１１０によってｒｅｐｏｒｔＣｏｎｆｉｇごとにセル固有オフセットを規定するものであり得、それらのオフセットは、ｒｅｐｏｒｔＣｏｎｆｉｇごとにセットされ規定されているＲＳＴｙｐｅに関連付けられる。ＵＥ１２０は、ＲＳタイプＩＥがＳＳブロックにセットされる場合、オフセットをＳＳブロックに関連付けるが、ＵＥ１２０は、ｒｅｐｏｒｔＣｏｎｆｉｇ中でＲＳタイプＩＥがＣＳＩ−ＲＳにセットされる場合、オフセットをＣＳＩ−ＲＳに関連付ける。したがって、ネットワークノード１１０は、一方がＳＳブロックにセットされ、もう一方がＣＳＩ−ＲＳにセットされた、異なるＲＳＴｙｐｅを各々伴う２つのｒｅｐｏｒｔＣｏｎｆｉｇをＵＥ１２０に提供し得、それらの各々について、ネットワークノード１１０は、セルごとに異なるオフセットをセットし得る。セルリストは、たとえば、ｒｅｐｏｒｔＣｏｎｆｉｇに関連付けられたｍｅａｓＯｂｊｅｃｔ中にまたはｒｅｐｏｒｔＣｏｎｆｉｇ内に、のいずれかに含まれ得る。
【００５７】
実施形態を実装するための別のやり方は、ｍｅａｓＯｂｊｅｃｔ内で、ただしＲＳタイプごとに、セル固有オフセットを規定することによるものであり得る。言い換えれば、リンクされたｒｅｐｏｒｔＣｏｎｆｉｇ中でセットされ得るｔｒｉｇｇｅｒＱｕａｎｔｉｔｙに適用される単一のオフセットの代わりに、ネットワークノード１１０は、代わりにＵＥ１２０にＫ個のオフセットを提供し、ｒｅｐｏｒｔＣｏｎｆｉｇ中でセットされ得る各ＲＳタイプについて１つのオフセットを提供し得る。たとえば、ＮＲでは、トリガ量としてＳＳブロックまたはＣＳＩ−ＲＳをセットすることが可能である場合、ｍｅａｓＯｂｊｅｃｔは、各セルについて、リストなどの中のセルごとに２つの可能なオフセットを含み得る。
【００５８】
組み合わせられたＲＳタイプおよびｔｒｉｇｇｅｒＱｕａｎｔｉｔｙ
さらなる実施形態では、ネットワークノード１１０は、セルごとに１つまたは複数のオフセットを伴ってＵＥ１２０を設定し得、これらのオフセットの各々は、たとえばＲＳＲＰ、ＲＳＲＱ、ＳＩＮＲまたは同様のものなど、品質測定結果であり得る、所与のｔｒｉｇｇｅｒＱｕａｎｔｉｔｙと、ＲＳタイプとに関連付けられる。
【００５９】
この実施形態を実装するための１つのやり方は、ｒｅｐｏｒｔＣｏｎｆｉｇごとにセル固有オフセットを規定することによるものであり得、それらのオフセットは、ｒｅｐｏｒｔＣｏｎｆｉｇごとに規定された、設定されたｔｒｉｇｇｅｒＱｕａｎｔｉｔｙおよびＲＳＴｙｐｅに関連付けられる。これらの各々について、所与のセッティングに関連付けられたセル固有オフセットがあり得、その結果、異なるＲＳタイプおよびトリガ量について異なるセッティングがあり得る。セルリストは、ｒｅｐｏｒｔＣｏｎｆｉｇに関連付けられたｍｅａｓＯｂｊｅｃｔ中にまたはｒｅｐｏｒｔＣｏｎｆｉｇ内に、のいずれかに含まれ得る。ｒｅｐｏｒｔＣｏｎｆｉｇごとにセル固有オフセットのリストを設定することによって、ＵＥ１２０は、ｒｅｐｏｒｔＣｏｎｆｉｇのためにセットされたＲＳタイプおよびｔｒｉｇｇｅｒＱｕａｎｔｉｔｙに基づいて関連付けを決定し得る。
【００６０】
この実施形態を実装するための別のやり方は、測定対象内で、ただし組み合わせられたｔｒｉｇｇｅｒＱｕａｎｔｉｔｙおよびＲＳタイプごとに、セル固有オフセットを規定することによるものであり得、たとえば、一例としてテーブル４を参照されたい。言い換えれば、リンクされたｒｅｐｏｒｔＣｏｎｆｉｇ中でセットされ得るトリガ量に適用される単一のオフセットの代わりに、ネットワークノード１２０は、代わりにＵＥ１２０にＫ個のオフセットを提供し、ｒｅｐｏｒｔＣｏｎｆｉｇ中でセットされ得る各ｔｒｉｇｇｅｒＱｕａｎｔｉｔｙとＲＳタイプとの組合せについて１つのオフセットを提供し得る。たとえば、ＮＲでは、トリガ量としてＲＳＲＰ、ＲＳＲＱまたはＳＩＮＲをセットし、ＳＳブロックまたはＣＳＩ−ＲＳとしてセットされたＲＳタイプをセットすることが可能であり得、したがって、測定対象は、各セルについて、以下の可能な測定リポートトリガリングオフセットを含み得る。
−  ｔｒｉｇｇｅｒＱｕａｎｔｉｔｙがＲＳＲＰにセットされ、ＲＳタイプがＳＳブロックにセットされた１つの測定リポートトリガリングオフセット、
−  ｔｒｉｇｇｅｒＱｕａｎｔｉｔｙがＲＳＲＱにセットされ、ＲＳタイプがＳＳブロックにセットされた１つの測定リポートトリガリングオフセット、
−  ｔｒｉｇｇｅｒＱｕａｎｔｉｔｙがＲＳＲＰにセットされ、ＲＳタイプがＣＳＩ−ＲＳにセットされた１つの測定リポートトリガリングオフセット、
−  ｔｒｉｇｇｅｒＱｕａｎｔｉｔｙがＲＳＲＱにセットされ、ＲＳタイプがＣＳＩ−ＲＳにセットされた１つの測定リポートトリガリングオフセット。
【００６１】
上記の例では、４つのリストがあり、各々が、測定対象において規定されたトリガ量とＲＳタイプとの各組合せについて、１つの測定リポートトリガリングオフセットを含む。それにより、あるレベルのフレキシビリティが達成され得る。
【００６２】
ｒｅｐｏｒｔＣｏｎｆｉｇごとに測定リポートトリガリングオフセットを設定することの利点は、ｔｒｉｇｇｅｒＱｕａｎｔｉｔｙおよび／またはＲＳタイプごとにフレキシビリティを可能にすることに加えて、たとえばＡ１、Ａ２、Ａ３、Ａ４、Ａ５、Ａ６、Ｂ１および／またはＢ２など、異なる設定されたイベントについて、異なるオフセットを有することも可能であることである。
2020530698.tif 000004
テーブル４：本明細書の実施形態によるオフセットパラメータを含む測定対象ＩＥの例。
【００６３】
異なるトリガ量およびＲＳタイプのための、個別の周波数オフセットおよびセル固有オフセットが、テーブル４に従って測定対象において規定され得る。異なるトリガ量およびＲＳタイプのための、各個別の周波数オフセットおよび／またはセル固有オフセットは、本明細書では、一意のまたは異なる測定と呼ばれることもある。テーブル４では、本明細書の例示的な実施形態による、ネットワークノード１１０によって設定されるオフセットパラメータが、太字でマークされている。テーブル４に示されている例はパラメータの存在を指示するが、メッセージ内の実際のロケーション、およびパラメータの名前は異なり得る。テーブル４に示されている例では、個別の測定リポートトリガリングオフセットは、たとえば、ＲＳタイプとしてＳＳ、トリガ量としてＲＳＲＰを伴って、測定対象としての周波数（Ｆｒｅｑ）のために規定された、個別の測定リポートトリガリングオフセットｏｆｆｓｅｔＦｒｅｑ−ＳＳ−Ｒｓｒｐなど、異なる測定対象、およびＲＳ−タイプとトリガ量との組合せについて提供される。
【００６４】
別の実施形態では、同じターゲット周波数上の異なるしきい値を伴う測定を容易にするために、ネットワークノード１１０は、測定対象中に存在する測定オフセットがこの測定について無視されることを指定するパラメータをリポート設定中に含み得る。そのようなパラメータの一例は、以下のテーブル５に示されており、ビットマップが使用され、第１のビットは、ＲＳＴｙｐｅとｔｒｉｇｇｅｒＱｕａｎｔｉｔｙとに基づく関連する周波数オフセットが無視されるかどうかを指示し、第２のビットは、ｃｅｌｌＩｎｄｉｖｉｄｕａｌＯｆｆｓｅｔｓが無視されるかどうかを指示する。
【００６５】
ＲｅｐｏｒｔＣｏｎｆｉｇＮＲ
以下では、本明細書の実施形態を実装するための３ＧＰＰ  ＴＳ３８．３３１  ｖ．０．０．４（ＮＲ  ＲＲＣ仕様）において規定された、ネットワークノード１１０によってＵＥ１２０に送信され得るリポート設定ＩＥの一例が開示される。リポート設定ＩＥは、本明細書では、ＴＳ３８．３３１  ｖ．０．０．４（ＮＲ  ＲＲＣ仕様）に従って、ＲｅｐｏｒｔＣｏｎｆｉｇＮＲと呼ばれることもある。ネットワークノード１１０は、ＵＥ１２０のためのモビリティ測定とモビリティ測定の報告とを設定するために、ＲｅｐｏｒｔＣｏｎｆｉｇＮＲ  ＩＥを含む設定メッセージをＵＥ１２０に送り得る。ＩＥ  ＲｅｐｏｒｔＣｏｎｆｉｇＮＲは、ＮＲ測定報告イベントのトリガリングのための、すなわち、ＵＥ１２０がモビリティ測定などの測定の報告をトリガするときの、（１つまたは複数の）基準を指定する。測定報告イベントは、ＣＳＩ−ＲＳまたはＮＲ−ＳＳのいずれかに基づいて導出され得る、セルレベル測定に基づき得る。これらの測定報告イベントは、たとえば、ＡＮと標示され得、Ｎは、１、２などに等しい。以下では、本明細書の実施形態による例示的な測定報告イベントが開示される。
イベントＡ１：サービングセルが絶対しきい値よりも良くなる、
イベントＡ２：サービングセルが絶対しきい値よりも悪くなる、
イベントＡ３：ネイバーセルがＰＣｅｌｌおよび／またはＰＳＣｅｌｌよりもオフセットの分量だけ良くなる、
イベントＡ４：ネイバーセルが絶対しきい値よりも良くなる、
イベントＡ５：ＰＣｅｌｌおよび／またはＰＳＣｅｌｌが絶対しきい値１よりも悪くなり、ネイバーセルが別の絶対しきい値２よりも良くなる、
イベントＡ６：ネイバーセルがＳＣｅｌｌよりもオフセットの分量だけ良くなる。
ＲｅｐｏｒｔＣｏｎｆｉｇＮＲ情報エレメント
2020530698.tif 000005
2020530698.tif 000006
表１．
【００６６】
ビームレベル測定
ＮＲでは、セル品質を導出するために、ＵＥ１２０によってビームレベル測定が実施され得る。ＮＲにおけるセル品質は、次のように規定され得る。
−  ビームの数（Ｎ、これはｍｅａｓＯｂｊｅｃｔごとに設定される）がセットされない（または１にセットされる）場合、最良のビームの品質、
−  同じくｍｅａｓＯｂｊｅｃｔごとに設定された絶対しきい値を上回る他の検出されたビームとともに平均化された最良のビームの品質、ただし、平均化されたビームの総数はＮを超えることができない。測定オフセットも、絶対しきい値に基づいて設定され得、すなわち、測定リポートトリガリングオフセットは、絶対しきい値を下回るビームについて規定されないことがあるが、測定オフセットは、絶対しきい値を上回るビームについて、本明細書の他の例に従って設定され得る。言い換えれば、絶対しきい値を下回るビームは、モビリティ測定および／またはモビリティ測定の報告を実施するとき、ＵＥ１２０によって考慮されていない。
【００６７】
本明細書の一実施形態では、ネットワークノード１１０は、ｔｒｉｇｇｅｒＱｕａｎｔｉｔｙおよび／またはＲＳタイプごとのこれらのセル品質導出パラメータのためのセル固有オフセットを伴ってＵＥ１２０を設定し得る。言い換えれば、所与のセルについて、各セル品質導出パラメータのために設定されるべき異なるパラメータ。この実施形態の一例では、ネットワークノード１１０は、ｒｅｐｏｒｔＣｏｎｆｉｇごとにパラメータＮのためのオフセットと絶対しきい値とを設定し得、これは、異なるＲＳタイプおよびトリガ量のための異なる設定を可能にし得る。
【００６８】
これらのセル品質導出パラメータはまた、測定対象において規定され、測定リポートトリガリングオフセットがＲＳタイプおよびｔｒｉｇｇｅｒＱｕａｎｔｉｔｙごとにセットされることを可能にし得る。セル品質パラメータは、たとえば、ネットワークノード１１０によって規定および／またはセットされ得る。
【００６９】
さらに、ＵＥ１２０は、測定リポートがセル品質に基づいてトリガされる場合、所与のセルに関連付けられたビームレベル測定を報告するように設定され得る。前に説明されたように、これらは、たとえばＳＳブロックまたはＣＳＩ−ＲＳなど、ＲＳに基づき得る。ＵＥ１２０は、たとえば、ネットワークノード１１０によって設定され得る。
【００７０】
ＣＳＩ−ＲＳの特定の場合には、単一のビーム品質に基づいて、またはビーム品質のセットに基づいて、（１つまたは複数の）Ｃ１および／またはＣ２イベントがあり得る。したがって、セルレベル測定のための上記で説明された原理は、ビームレベル測定結果にも適用可能であり得る。ビームレベル測定結果の場合、測定対象は、各セルに関連付けられたＣＳＩ−ＲＳリソースのリストを含んでいることがあり、セル固有オフセットは、以下ごとに規定され得る。
−  設定されたＣＳＩ−ＲＳリソース、
−  トリガ量ごとに、または
−  これらの組合せ。
【００７１】
ＮＲでは、セル品質は、さらに、所与のセルに関連付けられた最良のビームを、設定可能な絶対しきい値を上回るそのセルの残りのＮ個のビームとともに平均化することによって導出され得る。本明細書ではオフセットと呼ばれることもある、その絶対しきい値と、パラメータＮとは、測定対象ごとに設定され得、すなわち、それらはすべてのセルについて同じであるべきである。
【００７２】
ビームレベル測定がＵＥ１２０によって実施されるとき、ＵＥ１２０によってネットワークノード１１０に送られる測定リポートが、たとえばＲＳＲＰおよび／またはＲＳＲＱおよび／またはＳＩＮＲなどのビームレベル量、ならびに、たとえば報告すべきビームの数などの関連付けられた情報を含むように、報告フォーマットも変更され得る。
【００７３】
周波数内測定および周波数間測定の場合、測定対象は、ＮＲダウンリンクキャリア周波数に関連付けられ得る。このキャリア周波数と関連して、ネットワークは、「ブラックリストに載せられた（ｂｌａｃｋｌｉｓｔｅｄ）」セルのリストと「ホワイトリストに載せられた（ｗｈｉｔｅｌｉｓｔｅｄ）」セルのリストとを設定し得る。ブラックリストに載せられたセルは、イベント評価または測定報告において適用可能でない。ホワイトリストに載せられたセルは、イベント評価および／または測定報告において適用可能なセルのみであり、すなわち、ＵＥ１２０は、ホワイトリストに載せられたセル上でのみモビリティ測定およびモビリティ測定報告を実施する。ブラックリストに載せられたセルは、セル品質導出パラメータのためのしきい値をセットすることによって決定され得、しきい値を下回るセルが、ブラックリストに載せられる。
【００７４】
テーブル５は、任意の測定対象において指定されたオフセットが、この測定について無視されることを指示するパラメータを含む、本明細書のいくつかの実施形態によるリポート設定ＩＥの一例を開示する。このパラメータは、テーブル５に示されている例において、太字およびイタリック体でマークされている。テーブル５において開示される例では、パラメータの存在が指示されるが、メッセージ内の実際のロケーション、およびパラメータの名前は異なり得る。
【００７５】
提案されるソリューションは、ＧＵＴＲＡＮ（ＮＲ）仕様とＥＵＴＲＡＮ（ＬＴＥ）仕様の両方について有効であり得る。そのソリューションは、たとえば、ＧＵＴＲＡＮ、ＥＵＴＲＡＮ、ＵＴＲＡＮおよびＧＥＲＡＮなど、ＲＡＴ内ＵＥ測定とＲＡＴ間ＵＥ測定の両方に対して適用され得る。
【００７６】
次に、ＵＥ１２０のためのモビリティ測定を設定するための、ネットワークノード１１０によって実施される方法の実施形態の例が、図３に示されているフローチャートを参照しながら説明される。
【００７７】
図３中のボックスの破線は、このアクションが、いくつかの実施形態のみにおいて実施され、必須ではないことを指示する。
【００７８】
アクション３０１
ネットワークノード１１０は、ＵＥ１２０のための必要とされる測定オフセット設定を決定し得る。このアクション３０１は、たとえば、ネットワークノード１１０中に備えられた決定モジュールによって実施され得る。
【００７９】
このアクション３０１は、図２に関して説明されたアクション２０１と同様である。
【００８０】
アクション３０２
ネットワークノード１１０は、ＵＥ１２０に設定メッセージを送り、設定メッセージは、同じ測定対象と呼ばれることもある、単一の測定対象に関連付けられた、複数の測定オフセットを含む。測定オフセットは、測定リポートをトリガするためのオフセット値を指示する。したがって、測定が、しきい値＋測定のために設定されたオフセットに達するとき、送信のリポートの送信がトリガされるものとし、これは、実施されると呼ばれることもある。複数の測定オフセットの各々は、異なるまたは一意の測定と呼ばれることもある、それぞれの測定に関係する。本明細書では、一意のまたは異なる測定という用語は、異なるトリガ量およびＲＳタイプのために規定される、周波数オフセットとセル固有オフセットとの一意の組合せとして解釈され得る。この設定メッセージは、決定された必要とされる測定設定に基づき得る。このアクション３０２は、たとえば、ネットワークノード１１０中に備えられた送信モジュールによって実施され得る。測定対象は、たとえば、ＵＥ１２０がモビリティ測定を実施する周波数、またはＵＥ１２０がモビリティ測定を実施するいくつかのセル、あるいはそれらの組合せであり得る。したがって、測定対象は、ＵＥ１２０がモビリティ測定を実施する、周波数および／またはセルを含み得る。
【００８１】
ネットワークノード１１０は、トリガ量または任意の他の品質関係メトリックごとに測定リポートトリガリングオフセットを設定し得、これは、本明細書では規定すると呼ばれることもある。トリガ量は、たとえば、ＲＳＲＰ、ＲＳＲＱおよび／またはＳＩＮＲであり得る。
【００８２】
ネットワークノード１１０は、設定されたＲＳタイプごとに測定リポートトリガリングオフセットを設定し得る。ＲＳタイプは、たとえば、モビリティ測定および／またはＵＥ１２０からのモビリティ測定報告のために設定され得る。ＲＳタイプは、ＳＳブロックＲＳまたはＣＳＩ−ＲＳであり得る。
【００８３】
ネットワークノード１１０は、測定リポートトリガリングオフセットが、セル品質導出パラメータごとに設定されることを設定し得る。セル品質導出パラメータは、たとえば、平均化されるべきビームの最大数、または平均化のための好適なビームを選択するための絶対しきい値であり得る。
【００８４】
さらなる実施形態によれば、ネットワークノード１１０は、セル品質導出パラメータごとに測定オフセットを規定し得る。
【００８５】
このアクション３０２は、図２に関して説明されたアクション２０２と同様である。
【００８６】
次に、モビリティ測定を実施するための、ＵＥ１２０によって実施される方法の実施形態の例が、図４に示されているフローチャートを参照しながら説明される。図４中のボックスの破線は、このアクションが、いくつかの実施形態のみにおいて実施され、必須ではないことを指示する。
【００８７】
アクション４０１
ＵＥ１２０は、単一の測定対象に関連付けられた複数の測定オフセットを受信する。測定オフセットは、測定リポートをトリガするためのオフセット値を指示する。複数の測定オフセットの各々は、ＵＥ１２０によって実施されるべきそれぞれの測定のために規定される。
【００８８】
測定オフセットは、たとえば、トリガ量ごとに設定され得る。トリガ量は、たとえば、ＲＳＲＰ、ＲＳＲＱ、ＳＩＮＲおよび／または任意の他の品質関係メトリックであり得る。
【００８９】
本明細書の実施形態による方法のいくつかの実施形態では、測定オフセットは、ＵＥ１２０のために設定されたＲＳタイプごとになど、設定され得る。ＲＳタイプは、たとえば、ＳＳブロックＲＳまたはＣＳＩ−ＲＳであり得る。
【００９０】
本明細書のいくつかの実施形態では、測定オフセットは、セル品質導出パラメータごとに設定され得る。
【００９１】
測定対象は、たとえば、ＵＥ１２０がモビリティ測定を実施する周波数、またはＵＥ１２０がモビリティ測定を実施するいくつかのセルであり得る。
【００９２】
本明細書のいくつかの実施形態では、ＵＥ１２０は、ネットワークノード１１０からの設定メッセージ中で複数の測定オフセットを受信し得る。
【００９３】
このアクション４０１は、図２に関して説明されたアクション２０２と同様である。
【００９４】
アクション４０２
ＵＥ１２０は、測定リポート送信をトリガするために測定オフセットを考慮に入れてモビリティ測定プロセスを実施する。言い換えれば、測定が、しきい値＋測定オフセットに達するとき、ＵＥ１２０はネットワークノード１１０に測定のリポートを送信し得る。
【００９５】
このアクション４０２は、図２に関して説明されたアクション２０４と同様である。
【００９６】
図５ａを参照すると、図３の方法を実施するためのネットワークノード１１０の実施形態の概略ブロック図が示されている。
【００９７】
ネットワークノードは、本明細書で説明される方法を実施するための手段など、処理モジュール５０１を備え得る。その手段は、１つまたは複数のハードウェアモジュールおよび／または１つまたは複数のソフトウェアモジュールの形態で具現され得る。
【００９８】
ネットワークノードはメモリ５０２をさらに備え得る。メモリは、たとえば、コンピュータ可読コードユニットを備え得るコンピュータプログラム製品５０３の形態で、命令を、含んでいるまたは記憶するなど、備え得る。
【００９９】
本明細書のいくつかの実施形態によれば、ネットワークノードおよび／または処理モジュール５０１は、例示するハードウェアモジュールとして処理回路５０４を備える。したがって、処理モジュール５０１は、処理回路５０４の形態で具現されるか、または処理回路５０４「によって実現され」得る。命令は、処理回路５０４によって実行可能であり得、それにより、ネットワークノードは、本明細書で説明される方法、および特に図３に関して説明された方法を実施するように動作可能であり得る。別の例として、命令は、ネットワークノード１１０および／または処理回路５０４によって実行されたとき、ネットワークノード１１０に、図３と、ネットワークノード１１０に関係する本明細書で開示されるさらなる例とによる方法を実施させ得る。
【０１００】
上記に鑑みて、一例では、ＵＥ１２０のためのモビリティ測定を設定するためのネットワークノード１１０が提供される。上述のように、ネットワークノード１１０は、図３に関して開示される方法ステップを実施するように設定され得る。
【０１０１】
再び、メモリ５０２は、前記処理回路５０４によって実行可能な命令を含んでいることがあり、それにより、ネットワークノード１１０は、以下を行うために動作可能であり得る。
−  ＵＥ１２０に設定メッセージを送ることであって、その設定メッセージが、単一の測定対象に関連付けられた複数の測定オフセットを含み、測定オフセットが、測定リポートをトリガするためのオフセット値を指示し、複数の測定オフセットの各々が、異なる測定に関係する、設定メッセージを送ること。
【０１０２】
メモリ５０２は、前記処理回路５０４によって実行可能な命令をさらに含んでいることがあり、それにより、ネットワークノード１１０は、以下を行うためにさらに動作可能であり得る。
−  ＵＥ１２０のための必要とされる測定オフセット設定を決定すること。
測定オフセット設定は、単一の測定対象に関連付けられた測定オフセットを含み得、測定オフセットは、測定リポートをトリガするためのオフセット値を指示する。
【０１０３】
図５は、すぐ上で説明されたコンピュータプログラム４０３を備える、キャリア５０５、またはプログラムキャリアをさらに示す。
【０１０４】
いくつかの実施形態では、処理モジュール５０１は、適用可能なとき、以下で説明される受信モジュールおよび／または送信モジュールによって例示され得る、入出力モジュール５０６を備える。
【０１０５】
さらなる実施形態では、ネットワークノード１１０および／または処理モジュール５０１は、例示するハードウェアモジュールとして、送信モジュール５１０、設定モジュール５２０、および決定モジュール５３０のうちの１つまたは複数を備え得る。他の例では、上述の例示するハードウェアモジュールのうちの１つまたは複数は、１つまたは複数のソフトウェアモジュールとして実装され得る。
【０１０６】
したがって、ネットワークノード１１０は、ＵＥ１２０に設定メッセージを送るために設定され得、その設定メッセージは、同じ測定対象に関連付けられた複数の測定オフセットを含み、複数の測定オフセットの各々は、異なる測定に関係する。
【０１０７】
したがって、上記で説明された様々な実施形態によれば、ネットワークノード１１０および／または処理モジュール５０１および／または送信モジュール５１０は、ＵＥ１２０に設定メッセージを送るように設定され得、その設定メッセージは、同じ測定対象に関連付けられた複数の測定リポートトリガリングオフセットを含み得、複数の測定リポートトリガリングオフセットの各々は、異なる測定に関係する。
【０１０８】
さらに、ネットワークノード１１０は、ＵＥ１２０のための必要とされる測定リポートトリガリングオフセット設定を決定するように設定され得る。
【０１０９】
したがって、上記で説明された様々な実施形態によれば、ネットワークノード１１０および／または処理モジュール５０１および／または決定モジュール５３０は、ＵＥ１２０のための必要とされる測定リポートトリガリングオフセット設定を決定するように設定され得る。設定モジュール（ｃｏｎｆｉｇｕｒｉｎｇ  ｍｏｄｕｌｅ）は、本明細書では、設定モジュール（ｃｏｎｆｉｇｕｒａｔｉｏｎ  ｍｏｄｕｌｅ）と呼ばれることもある。
【０１１０】
ネットワークノード１１０は、ＲＳＲＰ、ＲＳＲＱ、ＳＩＮＲまたは任意の他の品質関係メトリックなど、トリガ量ごとに、測定リポートトリガリングオフセットを設定するようにさらに設定され得る。
【０１１１】
したがって、上記で説明された様々な実施形態によれば、ネットワークノード１１０および／または処理モジュール５０１および／または設定モジュール５２０は、ＲＳＲＰ、ＲＳＲＱ、ＳＩＮＲまたは任意の他の品質関係メトリックなど、トリガ量ごとに、測定オフセットを設定するために／設定するように設定され得る。
【０１１２】
ネットワークノード１１０は、たとえばＳＳブロックＲＳまたはＣＳＩ−ＲＳなど、設定されたＲＳ−タイプごとに、測定オフセットを設定するために／設定するようにさらに設定され得る。
【０１１３】
したがって、上記で説明された様々な実施形態によれば、ネットワークノード１１０および／または処理モジュール５０１および／または設定モジュール５２０は、たとえばＳＳブロックＲＳまたはＣＳＩ−ＲＳなど、設定されたＲＳ−タイプごとに、測定オフセットを設定するために／設定するように設定され得る。ネットワークノード１１０は、ＵＥ１２０に送られる設定メッセージ中で測定オフセットをセットすることによって、測定オフセットを設定し得る。
【０１１４】
ネットワークノード１１０は、たとえば平均化されるべきビームの最大数または平均化のための好適なビームを選択するための絶対しきい値など、セル品質導出パラメータごとに、測定オフセットを設定するために／設定するようにさらに設定され得る。
【０１１５】
したがって、上記で説明された様々な実施形態によれば、ネットワークノード１１０および／または処理モジュール５０１および／または設定モジュール５２０は、たとえば平均化されるべきビームの最大数または平均化のための好適なビームを選択するための絶対しきい値など、セル品質導出パラメータごとに、測定オフセットを設定するために／設定するように設定され得る。ネットワークノード１１０は、ＵＥ１２０に送られる設定メッセージ中で測定オフセットをセットすることによって、測定オフセットを設定し得る。
【０１１６】
ネットワークノード１１０は、測定オフセットを各測定識別子について異なる値にセットするようにさらに設定され得る。
【０１１７】
したがって、上記で説明された様々な実施形態によれば、ネットワークノード１１０および／または処理モジュール４０１および／または設定モジュール４２０は、測定報告をトリガするための測定オフセットを、各測定識別子について異なる値にセットするように設定され得る。
【０１１８】
本明細書の実施形態はまた、図５ｂに示されているように、ネットワークノード１１０中の処理回路要素のそれぞれのプロセッサまたは１つまたは複数のプロセッサを通して実装され得、その処理回路要素は、図３と、ネットワークノード１１０について上記で説明された実施形態とによる、方法アクションを実施するように設定される。
【０１１９】
実施形態は、本明細書の実施形態の機能およびアクションを実施するためのそれぞれのコンピュータプログラムコードとともにプロセッサによって実施され得る。上述のプログラムコードはまた、たとえば、ネットワークノード１１０にロードされているとき、本明細書の実施形態を実施するためのコンピュータプログラムコードを搬送するデータキャリアの形態の、コンピュータプログラム製品として提供され得る。１つのそのようなキャリアは、ＣＤ  ＲＯＭディスクの形態であり得る。ただし、そのようなキャリアは、たとえばメモリスティックなど、他のデータキャリアで実現可能である。コンピュータプログラムコードは、さらに、サーバ上の純粋なプログラムコードとして提供され、ネットワークノード１１０にダウンロードされ得る。
【０１２０】
ネットワークノード１１０はメモリ５０２をさらに備え得る。メモリは、実行されているときに本明細書で開示される方法を実施するためのソフトウェア、パッチ、システム情報、設定、診断データ、性能データおよび／またはアプリケーション、ならびに同様のものなど、データを記憶するために使用されるべき１つまたは複数のメモリユニットを備え得る。
【０１２１】
ネットワークノード１１０のための本明細書で説明される実施形態による方法は、それぞれ、少なくとも１つのプロセッサ上で実行されたとき、ネットワークノード１１０によって実施されるように、少なくとも１つのプロセッサに、本明細書で説明されるアクションを行わせる、命令、すなわち、ソフトウェアコード部分を備える、たとえばコンピュータプログラム５０３またはコンピュータプログラム製品によって実装され得る。コンピュータプログラム５０３は、コンピュータ可読記憶媒体、たとえば、キャリア５０５、ディスクまたは同様のものに記憶され得る。コンピュータプログラムを記憶したコンピュータ可読記憶媒体は、少なくとも１つのプロセッサ上で実行されたとき、ネットワークノード１１０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。
【０１２２】
また、上記で説明された入出力モジュール５０６、処理モジュール５０１、送信モジュール５１０、設定モジュール５２０、決定モジュール５３０は、アナログおよびデジタル回路、ならびに／または、上記で説明された処理ユニットなど、１つまたは複数のプロセッサによって実行されたとき、ネットワークノード１１０によって実施されるように、上記のアクションのいずれかによるアクションを実施する、たとえばメモリ５０２に記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、いくつかのプロセッサおよび様々なデジタルハードウェアが、いくつかの別個の構成要素間で分散され得る。
【０１２３】
提案されるソリューションは、ｅＮＢ／ｇＮＢのクラウド実装形態ならびに分散実装形態についても適用可能であり得る。
【０１２４】
本明細書の実施形態において説明されるネットワークノード１１０は、一般に「クラウド（ｔｈｅ  ｃｌｏｕｄ）」と呼ばれる、クラウドのような環境におけるリソースによっても実装され得る。本明細書のネットワークノード１１０によって実施される方法アクションは、無線アクセスノードのコンテキストにおいて説明されるが、その方法は、たとえばサーバおよび／またはデータセンターなど、第１のクラウド中に備えられたコアネットワークノードまたは分散ノードによっても実施され得る。方法アクションは、たとえば、コアネットワークノードまたは分散ノード上にホストされた集中型サービスであり得る、論理機能によって実施され得る。
【０１２５】
図６ａを参照すると、図４の方法を実施するためのＵＥ１２０の第１の実施形態の概略ブロック図が示されている。
【０１２６】
ＵＥ１２０は、本明細書で説明される方法を実施するための手段など、処理モジュール６０１を備え得る。その手段は、１つまたは複数のハードウェアモジュールおよび／または１つまたは複数のソフトウェアモジュールの形態で具現され得る。
【０１２７】
ＵＥ１２０はメモリ６０２をさらに備え得る。メモリは、たとえば、コンピュータ可読コードユニットを備え得るコンピュータプログラム６０３の形態で、命令を、含んでいるまたは記憶するなど、備え得る。
【０１２８】
本明細書のいくつかの実施形態によれば、ＵＥ１２０および／または処理モジュール６０１は、例示するハードウェアモジュールとして処理回路６０４を備える。したがって、処理モジュール６０１は、処理回路５０４の形態で具現されるか、または処理回路６０４「によって実現され」得る。命令は、処理回路６０４によって実行可能であり得、それにより、ネットワークノードは、本明細書で説明される方法、および特に図４に関して説明された方法を実施するように動作可能であり得る。別の例として、命令は、ＵＥ１２０および／または処理回路６０４によって実行されたとき、ＵＥ１２０に、図４と、本明細書で開示されるさらなる例とによる方法を実施させ得る。
【０１２９】
上記に鑑みて、一例では、モビリティ測定を実施するためのＵＥ１２０が提供される。上述のように、ＵＥ１２０は、図４に関して開示される方法ステップを実施するように設定され得る。
【０１３０】
再び、メモリ６０２は、前記処理回路６０４によって実行可能な命令を含んでいることがあり、それにより、ＵＥ１２０は、以下を行うために動作可能であり得る。
−  単一の測定対象に関連付けられた複数の測定オフセットを受信することであって、測定オフセットが、測定リポートをトリガするためのオフセット値を指示する、複数の測定オフセットを受信すること。
複数の測定オフセットの各々は、ＵＥ１２０によって実施されるべきそれぞれの測定のために規定される。
【０１３１】
メモリ６０２は、前記処理回路６０４によって実行可能な命令をさらに含んでいることがあり、それにより、ＵＥ１２０は、以下を行うためにさらに動作可能であり得る。
−  測定リポート送信をトリガするために測定オフセットを考慮に入れてモビリティ測定プロセスを実施すること。
【０１３２】
図６ａは、すぐ上で説明されたコンピュータプログラム６０３を備える、キャリア６０５、またはプログラムキャリアをさらに示す。
【０１３３】
いくつかの実施形態では、処理モジュール６０１は、適用可能なとき、以下で説明される受信モジュールおよび／または実施モジュールによって例示され得る、入出力モジュール６０６を備える。
【０１３４】
さらなる実施形態では、ＵＥ１２０および／または処理モジュール６０１は、例示するハードウェアモジュールとして、受信モジュール６１０および実施モジュール６２０のうちの１つまたは複数を備え得る。他の例では、上述の例示するハードウェアモジュールのうちの１つまたは複数は、１つまたは複数のソフトウェアモジュールとして実装され得る。
【０１３５】
したがって、ＵＥ１２０は、単一の測定対象に関連付けられた複数の測定オフセットを受信するように設定され得、測定オフセットは、測定リポートをトリガするためのオフセット値を指示し、複数の測定オフセットの各々は、ＵＥ１２０によって実施されるべきそれぞれの測定のために規定される。
【０１３６】
したがって、上記で説明された様々な実施形態によれば、ＵＥ１２０および／または処理モジュール６０１および／または受信モジュール６１０は、単一の測定対象に関連付けられた複数の測定オフセットを受信するように設定され得、測定オフセットは、測定リポートをトリガするためのオフセット値を指示し、複数の測定オフセットの各々は、それぞれの測定のために規定される。
【０１３７】
さらに、ＵＥ１２０は、ネットワークノード１１０から受信される設定メッセージ中で複数の測定オフセットを受信するように設定され得る。
【０１３８】
したがって、上記で説明された様々な実施形態によれば、ＵＥ１２０および／または処理モジュール６０１および／または受信モジュール６１０は、ネットワークノード１１０から受信される設定メッセージ中で複数の測定オフセットを受信するように設定され得る。
【０１３９】
さらに、ＵＥ１２０は、測定リポート送信をトリガするために測定オフセットを考慮に入れてモビリティ測定プロセスを実施するように設定され得る。これは、ＵＥ１２０が複数の測定オフセットに基づいてモビリティ測定報告を実施するように設定されることと呼ばれることもある。
【０１４０】
したがって、上記で説明された様々な実施形態によれば、ＵＥ１２０および／または処理モジュール６０１および／または実施モジュール６２０は、複数の測定オフセットに基づいてモビリティ測定報告を実施するように設定され得る。
【０１４１】
本明細書の実施形態はまた、図６ｂに示されているように、ＵＥ１２０中の処理回路要素６０４のそれぞれのプロセッサまたは１つまたは複数のプロセッサを通して実装され得、その処理回路要素は、図４と、ＵＥ１２０について上記で説明された実施形態とによる、方法アクションを実施するように設定される。
【０１４２】
実施形態は、本明細書の実施形態の機能およびアクションを実施するためのそれぞれのコンピュータプログラムコードとともにプロセッサによって実施され得る。上述のプログラムコードはまた、たとえば、ネットワークノード１１０にロードされているとき、本明細書の実施形態を実施するためのコンピュータプログラムコードを搬送するデータキャリア６０５の形態の、コンピュータプログラム製品として提供され得る。１つのそのようなキャリアは、ＣＤ  ＲＯＭディスクの形態であり得る。ただし、そのようなキャリアは、たとえばメモリスティックなど、他のデータキャリアで実現可能である。コンピュータプログラムコードは、さらに、サーバ上の純粋なプログラムコードとして提供され、ＵＥ１２０にダウンロードされ得る。
【０１４３】
ＵＥ１２０はメモリ６０２をさらに備え得る。メモリは、実行されているときに本明細書で開示される方法を実施するためのソフトウェア、パッチ、システム情報、設定、診断データ、性能データおよび／またはアプリケーション、ならびに同様のものなど、データを記憶するために使用されるべき１つまたは複数のメモリユニットを備え得る。
【０１４４】
ＵＥ１２０のための本明細書で説明される実施形態による方法は、それぞれ、少なくとも１つのプロセッサ上で実行されたとき、ＵＥ１２０によって実施されるように、少なくとも１つのプロセッサに、本明細書で説明されるアクションを行わせる、命令、すなわち、ソフトウェアコード部分を備える、たとえばコンピュータプログラムまたはコンピュータプログラム製品によって実装され得る。コンピュータプログラムは、コンピュータ可読記憶媒体、たとえばディスクまたは同様のものに記憶され得る。コンピュータプログラムを記憶したコンピュータ可読記憶媒体は、少なくとも１つのプロセッサ上で実行されたとき、ＵＥ１２０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。
【０１４５】
また、上記で説明された入出力モジュール６０６、処理モジュール６０１、受信モジュール６１０、実施モジュール６２０は、アナログおよびデジタル回路、ならびに／または、上記で説明された処理ユニットなど、１つまたは複数のプロセッサによって実行されたとき、ＵＥ１２０によって実施されるように、上記のアクションのいずれかによるアクションを実施する、たとえばメモリ６０２に記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、いくつかのプロセッサおよび様々なデジタルハードウェアが、いくつかの別個の構成要素間で分散され得る。
【０１４６】
「備える、含む（ｃｏｍｐｒｉｓｅ）」または「備える、含む（ｃｏｍｐｒｉｓｉｎｇ）」という単語を使用するとき、その単語は、非限定的、すなわち、「少なくとも〜からなる（ｃｏｎｓｉｓｔ  ａｔ  ｌｅａｓｔ  ｏｆ）」を意味するとして解釈される。
付録１
2020530698.tif 000007
2020530698.tif 000008
2020530698.tif 000009
【図１】
2020530698.tif 000010
【図２】
2020530698.tif 000011
【図３】
2020530698.tif 000012
【図４】
2020530698.tif 000013
【図５ａ】
2020530698.tif 000014
【図５ｂ】
2020530698.tif 000015
【図６ａ】
2020530698.tif 000016
【図６ｂ】
2020530698.tif 000017
【手続補正書】
【提出日】令和1年5月2日(2019.5.2)
【手続補正１】
【補正対象書類名】明細書
【補正対象項目名】全文
【補正方法】変更
【補正の内容】
【発明の詳細な説明】
【技術分野】
【０００１】
本明細書の実施形態は、セルラーネットワークなど、無線通信システムにおけるユーザ機器（ＵＥ）のためのモビリティ測定に関する。特に、本明細書の実施形態は、ネットワークノード、ＵＥ、ならびにネットワークノードおよびＵＥにおいて実施される方法に関する。
【背景技術】
【０００２】
一般的な無線通信ネットワークでは、無線通信デバイス、移動局、局（ＳＴＡ）および／またはユーザ機器（ＵＥ）としても知られる、無線デバイスが、Ｗｉ−Ｆｉネットワークなどのローカルエリアネットワークまたは無線アクセスネットワーク（ＲＡＮ）を介して、１つまたは複数のコアネットワーク（ＣＮ）に通信する。ＲＡＮは、ビームまたはビームグループと呼ばれることもあるサービスエリアまたはセルエリアに分割される地理的エリアをカバーし、各サービスエリアまたはセルエリアは、無線アクセスノード、たとえばＷｉ−Ｆｉアクセスポイントまたは無線基地局（ＲＢＳ）など、無線ネットワークノードによってサーブされ、それらは、いくつかのネットワークでは、たとえば、ノードＢ、エボルブドノードＢ（ｅＮＢ）、または第５世代（５Ｇ）ネットワークと呼ばれることもある新しい無線（ＮＲ）において示されるＧ−ＵＴＲＡＮノードＢ（ｇＮＢ）と示されることもある。サービスエリアまたはセルエリアは、無線ネットワークノードによって無線カバレッジが提供される地理的エリアである。無線ネットワークノードは、無線ネットワークノードの範囲内で、無線周波数上で動作する、チャネルまたは無線リンクと呼ばれることもあるエアインターフェースを介して、無線デバイスと通信する。
【０００３】
第４世代（４Ｇ）ネットワークとも呼ばれる、エボルブドパケットシステム（ＥＰＳ）のための仕様は、第３世代パートナーシッププロジェクト（３ＧＰＰ）内で完成されており、この作業は、たとえば、５Ｇ  ＮＲとも呼ばれる５Ｇネットワークを指定するために、来たるべき３ＧＰＰリリースにおいて続く。ＥＰＳは、Ｌｏｎｇ  Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードが、３Ｇネットワークにおいて使用されるＲＮＣにではなくＥＰＣコアネットワークに直接接続される、３ＧＰＰ無線アクセスネットワークの変形態である。概して、Ｅ−ＵＴＲＡＮ／ＬＴＥでは、３Ｇ  ＲＮＣの機能は、無線ネットワークノード、たとえばＬＴＥにおけるｅノードＢと、コアネットワークとの間で分散される。したがって、ＥＰＳのＲＡＮは、１つまたは複数のコアネットワークに直接接続された無線ネットワークノードを備える、本質的に「フラット」なアーキテクチャを有し、すなわち、無線ネットワークノードはＲＮＣに接続されない。そのことを補償するために、Ｅ−ＵＴＲＡＮ仕様は、無線ネットワークノード間の直接インターフェースを規定し、このインターフェースはＸ２インターフェースと示される。
【０００４】
マルチアンテナ技法は、無線通信システムのデータレートおよび信頼性を著しく増加させ得る。送信機と受信機の両方が複数のアンテナを装備する場合、性能が特に改善され、これは、多入力多出力（ＭＩＭＯ）通信チャネルをもたらす。そのようなシステムおよび／または関係する技法は、通常、ＭＩＭＯと呼ばれる。
【０００５】
モビリティ測定または無線リソース管理（ＲＲＭ）測定と呼ばれることもある、ＵＥ測定は、無線ネットワークがＵＥのための好適なサービングセルを選定するのを支援するために、サービングセルおよび（１つまたは複数の）ネイバリングセルの信号レベルおよび品質を監視および報告するために使用される。たとえば、カバレッジ理由、トラフィック負荷レベルまたは特定のサービスのサポートなど、現在のサービングセルから別のセルにＵＥを再配置するための、複数の理由と呼ばれることもある様々な理由があり得る。
【０００６】
ＵＥ測定は、たとえば無線ネットワークノードを介して、無線ネットワークによって設定され、ＵＥが使用する測定および報告のための条件を指定するためにいくつかのパラメータが関与する。ＬＴＥでは、Ｅ−ＵＴＲＡＮによってＵＥに提供されるＵＥ測定設定は、３ＧＰＰ  ＴＳ３６．３３１  ｖ．１４．３．０  Ｅ−ＵＴＲＡ、無線リソース制御（ＲＲＣ）プロトコル仕様において指定されている。
【０００７】
対応する仕様、３ＧＰＰ  ＴＳ３８．３３１  ｖ．０．０．４  ＮＲ  ＲＲＣプロトコル仕様が、現在、ＮＲのために準備されている。
【０００８】
ＮＲにおける測定設定フレームワークは、３ＧＰＰ  ＴＳ３８．３３１  ｖ．０．０．４に記載されている、ＬＴＥからのフレームワークに基づき得る。ＮＲでは、ネットワークは、測定設定に従ってセルレベルおよびビームレベル測定を実施し、それらの測定を報告するように、ＲＲＣ＿ＣＯＮＮＥＣＴＥＤモードにあるＵＥを設定し得る。測定設定は専用シグナリングによって提供され得る。
【０００９】
ネットワークは、たとえば無線ネットワークノードによって、以下のタイプの測定を実施するようにＵＥを設定し得る。
−  周波数内測定：（１つまたは複数の）サービングセルの（１つまたは複数の）ダウンリンクキャリア周波数における測定。
−  周波数間測定：（１つまたは複数の）サービングセルの（１つまたは複数の）ダウンリンクキャリア周波数のいずれとも異なる周波数における測定。
−  拡張ユニバーサル地上無線アクセス（Ｅ−ＵＴＲＡ）周波数の無線アクセス技術（ＲＡＴ）間測定：サービングセルのＲＡＴとは異なるＲＡＴ上で測定が実施される。
【００１０】
測定設定は以下のパラメータを含み得る。
１．測定対象：ＵＥが測定を実施する対象のリスト。測定対象は、以下で、ｍｅａｓＯｂｊｅｃｔと呼ばれることがある。
−  ＲＡＴ間Ｅ−ＵＴＲＡ測定の場合、測定対象は、単一のＥ−ＵＴＲＡダウンリンクキャリア周波数であり得る。
２．報告設定：測定対象ごとに１つまたは複数の報告設定があり得る、報告設定のリスト。報告設定は、以下で、ｒｅｐｏｒｔＣｏｎｆｉｇと呼ばれることがある。各報告設定は以下を含む。
−  報告基準：イベントトリガ型または周期的のいずれかであり得る測定リポートを送るようにＵＥをトリガする基準。基準は、たとえば、参照信号受信電力（ＲＳＲＰ）、参照信号受信品質（ＲＳＲＱ）または信号対干渉プラス雑音比（ＳＩＮＲ）など、トリガ量をも含む。
−  参照信号（ＲＳ）タイプ：セルレベルおよびビームレベル測定のためにＵＥによって考慮されるべきＲＳ。
−  報告フォーマット：ＵＥが測定リポート中に含めるセルレベル量（ＲＳＲＰおよび／またはＲＳＲＱおよび／またはＳＩＮＲ）、および、たとえばセルの数など、関連付けられた情報）。
３．測定識別情報：各測定識別情報が１つの測定対象を１つの報告設定とリンクする、測定識別情報のリスト。複数の測定識別情報を設定することによって、２つ以上の測定対象を同じ報告設定にリンクすること、ならびに２つ以上の報告設定を同じ測定対象にリンクすることが可能であり得る。測定識別情報は、報告をトリガした測定リポート中に含まれることもあり、ネットワークへの参照として機能する。測定識別情報は、以下で、ｍｅａｓＯｂｊｅｃｔＩｄと呼ばれることがある。
４．量設定：無線アクセス技術（ＲＡＴ）タイプごとに１つの量設定が設定される。量設定は、その測定タイプのすべてのイベント評価および関係する報告のために使用される、測定量および関連付けられたフィルタ処理を規定する。
５．測定ギャップ：ＵＥが測定を実施するために使用し得る期間、すなわち、アップリンク（ＵＬ）および／またはダウンリンク（ＤＬ）送信がスケジュールされない期間。
【００１１】
ＬＴＥでは、測定設定は、ＵＥが測定を実施する測定対象に関連付けられたトリガリングイベントを含んでいる報告設定をＵＥに提供する。各リポート設定に関連して、ネットワークノードは、ＵＥが測定を実施するパラメータである、１つのトリガ量を選択し得る。ネットワークはまた、各測定対象のための測定リポートトリガリングオフセットをセットし得る。
【００１２】
ＨＵＡＷＥＩ：「Ｃｏｍｂｉｎｅｄ  ＲＳＲＰ  ＆  ＲＳＲＱ  ｑｕａｎｔｉｔｉｅｓ  ｒｅｐｏｒｔ  ｔｒｉｇｇｅｒｉｎｇ」、３ＧＰＰ  ＤＲＡＦＴ、Ｒ２−０８３５４６は、ＥＵＴＲＡのための組み合わせられたＲＳＲＰおよびＲＳＲＱ量リポートトリガリングを開示する。
【００１３】
しかしながら、無線ネットワークがＵＥのための好適なサービングセルを選定するのをさらに支援するために、ＵＥ測定を改善する必要がある。
【発明の概要】
【００１４】
本明細書の実施形態の目的は、特にＵＥのための測定トリガリングオフセットを設定するための方法を提供することによって、無線通信ネットワークの性能を向上させることである。
【００１５】
本明細書の実施形態の第１の態様によれば、目的は、ＵＥのためのモビリティ測定を設定するための、ネットワークノードによって実施される方法によって達成される。ネットワークノードはＵＥに設定メッセージを送る。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。
【００１６】
本明細書の実施形態の第２の態様によれば、目的は、ＵＥのためのモビリティ測定を設定するための方法を実施するためのネットワークノードによって達成される。ネットワークノードはＵＥに設定メッセージを送るように設定される。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。
【００１７】
本明細書の実施形態の第３の態様によれば、目的は、モビリティ測定を実施するための、ＵＥによって実施される方法によって達成される。ＵＥはネットワークノードから設定メッセージを受信する。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。ＵＥは、測定リポート送信をトリガするために測定オフセットを考慮に入れてモビリティ測定プロセスをさらに実施する。
【００１８】
本明細書の実施形態の第４の態様によれば、目的は、モビリティ測定を実施するためのＵＥによって達成される。ＵＥは、ネットワークノードから設定メッセージを受信するように設定される。設定メッセージは、単一の測定対象に関連付けられた複数の測定オフセットを含み、測定オフセットは、測定リポートをトリガするためのオフセット値を指示し、複数の測定オフセットの各々は、それぞれの測定に関係する。ＵＥは、測定リポート送信をトリガするために測定オフセットを考慮に入れてモビリティ測定プロセスを実施するようにさらに設定される。
【００１９】
本明細書の実施形態の第５の態様によれば、目的は、少なくとも１つのプロセッサ上で実行されたとき、少なくとも１つのプロセッサに、本明細書の実施形態の第１および／または第３の態様による方法を行わせる命令を備える、コンピュータプログラム製品によって達成される。
【００２０】
少なくとも１つのプロセッサ上で実行されたとき、少なくとも１つのプロセッサに、本明細書の実施形態の第１および／または第３の態様による方法を行わせる命令を備えるコンピュータプログラム製品を記憶した、コンピュータ可読記憶媒体。
【００２１】
たとえばセル個別オフセットおよび周波数オフセットなど、複数の測定オフセットを設定することによって、以下の利益が達成される。
・仕様における、測定オフセットなどのパラメータを符号化するためのより直観的なやり方が提供される。
・測定オフセットは、接続中断およびビットレート低下を最小限に抑えるために、モビリティロバストネス最適化（ＭＲＯ：ｍｏｂｉｌｉｔｙ  ｒｏｂｕｓｔｎｅｓｓ  ｏｐｔｉｍｉｚａｔｉｏｎ）を改善することができる。ＭＲＯの結果を最適化するために、トリガ量ごとにおよび／またはＲＳ−タイプごとに、異なるオフセットがセットされ得る。本明細書の実施形態によるソリューションは、より良い最適化特徴を提供し、したがって、より良いネットワーク性能が達成され得る。
・個別の測定オフセットを設定することによって、たとえばＭＲＯのためのなど、ある目的のための最適化されたオフセットは、たとえば負荷分散またはサービストリガ型モビリティなど、他の目的のための測定に悪影響を及ぼさない。それにより、より良いネットワーク性能が達成され得る。
・本明細書の実施形態は、さらに、手動方法と自動方法の両方について、ビームレベル測定に基づくモビリティの微調整を可能にし、これも、ネットワークおよびＵＥについてより良い性能をもたらす。
【００２２】
測定オフセットは、単一の測定対象に関連付けられ、測定リポートをトリガするためのオフセット値を指示し、したがって、本明細書では、測定リポートトリガリングオフセットと呼ばれることもある。
【００２３】
いくつかの実施形態が上記で要約されたが、請求される主題は、添付の請求項１から１９において規定される。
【図面の簡単な説明】
【００２４】
【図１】無線通信ネットワークの実施形態を示す概略ブロック図である。
【図２】ネットワークノードがＵＥ測定を設定するために必要とされるシグナリングを示すシグナリング図である。
【図３】ネットワークノードによって実施される方法を示すフローチャートである。
【図４】ＵＥによって実施される方法を示すフローチャートである。
【図５ａ】ネットワークノードのいくつかの第１の実施形態を示す概略ブロック図である。
【図５ｂ】ネットワークノードのいくつかの第２の実施形態を示す概略ブロック図である。
【図６ａ】ＵＥのいくつかの第１の実施形態を示す概略ブロック図である。
【図６ｂ】ＵＥのいくつかの第２の実施形態を示す概略ブロック図である。
【発明を実施するための形態】
【００２５】
現在のＬＴＥ仕様によれば、通信ネットワークがＵＥのための測定報告を設定するとき、通信ネットワークは各測定対象について１つのオフセットをセットする。したがって、ＵＥのために設定されたイベントに関連付けられたｔｒｉｇｇｅｒＱｕａｎｔｉｔｙに関係なく、同じオフセットがセットされる。言い換えれば、たとえばＲＳＲＰ量に基づく第１のイベントＡ１は、たとえばＡ１またはＡ２などの第２のイベントが、たとえばＲＳＲＱに基づくにもかかわらず、第２のイベントと同じ、測定オフセットなどのセル固有オフセットが設定される。いくつかのリポート設定が同じ測定対象に接続されるとき、知られているソリューションに関するさらなる問題が発生し得る。異なるリポート設定が、たとえばカバレッジトリガ型モビリティまたは負荷分散目的など、異なる目的に関係し、したがって、測定報告に関する異なる要件を有し得る。しかしながら、たとえばオフセットがセットされたセルの同じリストを含むなど、同じ測定対象に関連付けられた複数のイベントがあり得、これらの複数のイベントは、異なるトリガ量を有し得る。
【００２６】
現在のＬＴＥ仕様３ＧＰＰ  ＴＳ３６．３３１  ｖ．１４．３．０によれば、Ｅ−ＵＴＲＡＮがＵＥ測定を設定するとき、イベント測定において考慮されるべき特定の周波数および／または特定のセルのためにオフセットを割り振ることが可能である。たとえば、以下にリストされたＡ３、Ａ４、Ａ５、Ａ６、Ｂ１、Ｂ２などのイベントにおいて、ネイバーセルの周波数の周波数固有オフセット（Ｏｆｎ）、ネイバーセルのセル固有オフセット（Ｏｃｎ）、１次セル（ＰＣｅｌｌ）および／または１次２次セル（ＰＳＣｅｌｌ）の周波数の周波数固有オフセット（Ｏｆｐ）、ならびにＰＣｅｌｌ／ＰＳＣｅｌｌのセル固有オフセット（Ｏｃｐ）への参照が行われる。
Ａ１  サービングがしきい値よりも良くなる
Ａ２  サービングがしきい値よりも悪くなる
Ａ３  ネイバーがＰＣｅｌｌよりもオフセットだけ良くなる
Ａ４  ネイバーがしきい値よりも良くなる
Ａ５  ＰＣｅｌｌがしきい値１よりも悪くなり、ネイバーがしきい値２よりも良くなる
Ａ６  ネイバーがＳＣｅｌｌよりもオフセットだけ良くなる
Ｃ１  チャネル状態情報（ＣＳＩ）−ＲＳリソースがしきい値よりも良くなる
Ｃ２  ＣＳＩ−ＲＳリソースが参照ＣＳＩ−ＲＳリソースよりもオフセットだけ良くなる
Ｂ１  ＲＡＴ間ネイバーがしきい値よりも良くなる
Ｂ２  ＰＣｅｌｌがしきい値１よりも悪くなり、ＲＡＴ間ネイバーがしきい値２よりも良くなる
Ｖ１  チャネルビジー率がしきい値を上回る
Ｖ２  チャネルビジー率がしきい値を下回る
【００２７】
ＬＴＥでは、ＵＥにシグナリングされるオフセットが、測定対象ごとに規定される。測定対象、すなわち、ＵＥが測定を実施するように要求された所与のキャリア周波数上のセルの周波数または数。３ＧＰＰ  ＴＳ３６．３３１  ｖ．０からのＬＴＥにおける測定対象の規定が、本明細書の付録１において開示される。測定対象を使用してセットされ得るセル固有オフセット設定の一部は、Ｑ−ＯｆｆｓｅｔＲａｎｇｅである。Ｑ−ＯｆｆｓｅｔＲａｎｇｅは、セル再選択のための候補セルを評価するときに、または測定報告のためのトリガリング条件を評価するときに適用されるべき、セル、ＣＳＩ−ＲＳリソースまたは周波数固有オフセットを指示するために使用され得る。Ｑ−ＯｆｆｓｅｔＲａｎｇｅはデシベル（ｄＢ）単位で指示される。値ｄＢ−２４が−２４ｄＢに対応し、ｄＢ−２２が−２２ｄＢに対応し、以下同様である。
【００２８】
Ｑ−ＯｆｆｓｅｔＲａｎｇｅ情報エレメント
2020530698.tif 000018
【００２９】
ＬＴＥにおける既存のソリューションでは、たとえば同じネイバー周波数など、同じｍｅａｓＯｂｊｅｃｔＩｄに関して設定された、一方がＲＳＲＰトリガ量を伴い、他方がＲＳＲＱトリガ量を伴う、たとえば２つのＡ５リポート設定など、同時測定がある場合、同じオフセット値が両方のイベント評価のために適用されるが、これは常に最良の挙動であるとは限らない。
【００３０】
上記の例における両方のＡ５リポートは、同じトリガ量ＲＳＲＰを伴って設定されるが、それらのリポートは異なる目的に関係し得、それらのリポートの両方についてオフセットが使用されることが望まれないことがある。異なるリポート設定は、たとえばカバレッジトリガ型モビリティまたは負荷分散目的など、異なる目的に関係し得るので、各リポート設定について異なるオフセットを有することが望まれる。
【００３１】
要約すれば、最先端のソリューションは、ネットワークが、ＲＳＲＰ、ＲＳＲＱ、ＳＩＮＲなど、異なるトリガ測定量のために設定されることと呼ばれることもある、異なるトリガ測定量に対応する異なるオフセットを設定することを可能にしない。
【００３２】
したがって、本明細書の実施形態は、ネットワークノードが複数の測定オフセットを伴ってＵＥを設定することを可能にするための方法に関し、それらの測定オフセットは、本明細書では、同じ測定対象に関連付けられたＲＳＲＰまたはＲＳＲＱ値のためのオフセットなど、測定リポートトリガリングオフセットまたはオフセットと呼ばれることもあり、それらの測定対象は、測定されるべき周波数、たとえば絶対無線周波数チャネル番号（ＡＲＦＣＮ：Ａｂｓｏｌｕｔｅ  Ｒａｄｉｏ−Ｆｒｅｑｕｅｎｃｙ  Ｃｈａｎｎｅｌ  Ｎｕｍｂｅｒ）によって指示されるキャリア周波数に関連付けられ得る。
【００３３】
本明細書の実施形態は、主に、イベントおよび測定報告をトリガし得るセルベース測定のために規定され得るが、本明細書の実施形態の原理は、ビームレベル測定にも適用され得る。
【００３４】
仕様、３ＧＰＰ  ＴＳ３８．３３１  ｖ．０．０．４  ＮＲ  ＲＲＣプロトコル仕様は、適用可能な場合にＥ−ＵＴＲＡＮバージョンと部分的に同様であり得る。
【００３５】
本明細書の実施形態では、周波数固有オフセットとセル固有オフセットとを含み得る、複数の測定リポートトリガリングオフセットは、たとえば、以下のものなど、異なるレベルのグラニュラリティにおいて設定され得る。
−  トリガ量、たとえば、ＲＳＲＰ、ＲＳＲＱおよび／またはＳＩＮＲ、あるいは任意の他の品質関係メトリックごとに、
−  たとえば同期信号（ＳＳ）ブロックＲＳまたはチャネル状態情報参照信号（ＣＳＩ−ＲＳ）など、設定されたＲＳタイプごとに、
−  たとえば、平均化されるべきビームの最大数、平均化のための好適なビームを選択するための絶対しきい値など、セル品質導出パラメータごとに、
−  あるいはこれらの任意の組合せ、たとえば、
〇  セル測定のトリガ量（たとえばＲＳＲＰ、ＲＳＲＱ）ごとに
〇  セル測定のトリガ量およびＲＳタイプ（たとえば、同期信号（ＳＳ）ブロックに基づくセルＲＳＲＰ、ＣＳＩ−ＲＳに基づくセルＲＳＲＱ）ごとに
〇  その他。
【００３６】
測定リポートをトリガするためのオフセット値を指示する測定オフセットは、たとえば、各測定識別子、すなわち、１つの測定対象（ｍｅａｓＯｂｊｅｃｔＮＲ）にリンクされた１つの設定されたイベント（ｒｅｐｏｒｔＣｏｎｆｉｇＮＲ）について、異なる値にセットされ得る。したがって、測定識別子は、設定されたイベントと測定対象との組合せである。
【００３７】
測定対象ごとの現在のオフセット規定は、セル再選択評価プロセスのためにアイドルモードにおいて使用される同様のオフセットから継承され得る。それらのオフセットは、ｑ−ＯｆｆｓｅｔＣｅｌｌ（３ＧＰＰ  ＴＳ３６．３０４  ｖ．１４．３．０中のパラメータ「Ｑｏｆｆｓｅｔｓ，ｎ」）およびｑ−ＯｆｆｓｅｔＦｒｅｑ（３ＧＰＰ  ＴＳ３６．３０４  ｖ．１４．３．０中のパラメータ「Ｑｏｆｆｓｅｔｆｒｅｑｕｅｎｃｙ」）と呼ばれ、これらはＳＩＢ４およびＳＩＢ５においてブロードキャストされる。しかしながら、測定対象ごとの現在のオフセット規定は、ＲＳＲＰ測定におよびセル再選択の特定の目的に適用されるように意図されているにすぎない。３ＧＰＰ  ＴＳ３６．３０４  ｖ．１４．３．０におけるＲ基準規定を参照されたい。しかしながら、同じオフセットが、同様に、接続モードにおける「ＲＳＲＰベースのカバレッジトリガ型モビリティ」にも適用可能であり得る。
【００３８】
本明細書の実施形態は、たとえばＮＲ測定のために、ＲＲＭ測定において使用される周波数固有オフセットおよびセル固有オフセットの設定を改善することに関する。これは、他のネットワーク機能に影響を及ぼすことなしに、セルラーネットワークにおける手動および自動モビリティ最適化を可能にする。
【００３９】
図１は、本明細書の実施形態のうちの少なくともいくつかが使用され得る、例示された無線通信ネットワーク１００における通信シナリオを示す。無線通信ネットワーク１００は、１つまたは複数のＵＥ１２０を備える。ＵＥ１２０は、たとえば、モバイルフォン、スマートフォン、ラップトップコンピュータ、タブレットコンピュータ、マシン型通信（ＭＴＣ）デバイス、移動局、局（ＳＴＡ）、または、無線通信を提供することができ、したがって無線デバイスと呼ばれることもある、任意の他のデバイスであり得る。ＵＥ１２０は、たとえばＷｉ−Ｆｉネットワークなどのローカルエリアネットワーク（ＬＡＮ）、あるいは、たとえば拡張ユニバーサル地上無線アクセスネットワーク（Ｅ−ＵＴＲＡＮ）または第５世代（５Ｇ）ＲＡＮなどの無線アクセスネットワーク（ＲＡＮ）など、無線通信ネットワーク１００を介して、たとえばエボルブドパケットコア（ＥＰＣ）または第５世代コア（５ＧＣ）などの１つまたは複数のコアネットワーク（ＣＮ）１３に通信し得る。無線通信ネットワーク１００は、たとえば、無線アクセスノード、たとえばＷｉ−Ｆｉアクセスポイントまたは無線基地局（ＲＢＳ）など、１つまたは複数のネットワークノード１１０をさらに備え、それらは、いくつかのネットワークでは、たとえば、ノードＢ、ｅＮＢ、または新しい無線（ＮＲ）において示されるｇＮＢと示されることもある。ＮＲは、第５世代無線システム（５Ｇ）と呼ばれることもある。１つまたは複数のネットワークノード１１０の各々は、たとえばセル、ビームまたはビームグループと呼ばれることもある、１つまたは複数のカバレッジエリア１１５をサーブする。ＵＥ１２０のための最良の利用可能なセルを決定するために、ＵＥ１２０は、サービングセルおよび（１つまたは複数の）ネイバリングセルの信号レベルおよび品質を監視および報告するために、モビリティ測定と呼ばれることもある測定を実施し得る。測定は、次いで、ＵＥ１２０からネットワークノード１１０に送られ得、ネットワークノード１１０がＵＥ１２０のための好適なサービングセルを選定するのを支援するために使用され得る。たとえば、カバレッジ理由、トラフィック負荷レベルまたは特定のサービスのサポートなど、現在のサービングセルから別のセルにＵＥ１２０を再配置するための様々な理由があり得る。リポートがＵＥ１２０によってネットワークノード１１０に送られるようにトリガされたとき、イベントが遂行されたと呼ばれる。
【００４０】
Ｅ−ＵＴＲＡ仕様では、「周波数固有オフセット」および「セル固有オフセット」に関係するＵＥアクションに関する、イベントＡ３に関係する以下のプロシージャテキストが存在する。
*****************************************************************************
５．５．４．４  イベントＡ３（ネイバーがＰＣｅｌｌ／ＰＳＣｅｌｌよりもオフセットだけ良くなる）
The UE shall:
1>  consider the entering condition for this event to be satisfied when condition A3-1, as specified below, is fulfilled;
1>  consider the leaving condition for this event to be satisfied when condition A3-2, as specified below, is fulfilled;
1>  if usePSCell of the corresponding reportConfig is set to true:
2>  use the PSCell for Mp, Ofp and Ocp;
1>  else:
2>  use the PCell for Mp, Ofp and Ocp;
注  イベントをトリガする（１つまたは複数の）セルは、ＰＣｅｌｌ／ＰＳＣｅｌｌによって使用される周波数とは異なり得る、関連付けられたｍｅａｓＯｂｊｅｃｔにおいて指示された周波数上にある。
不等式Ａ３−１（入る条件（Ｅｎｔｅｒｉｎｇ  ｃｏｎｄｉｔｉｏｎ））
Ｍｎ＋Ｏｆｎ＋Ｏｃｎ−Ｈｙｓ＞Ｍｐ＋Ｏｆｐ＋Ｏｃｐ＋Ｏｆｆ
不等式Ａ３−２（出る条件（Ｌｅａｖｉｎｇ  ｃｏｎｄｉｔｉｏｎ））
Ｍｎ＋Ｏｆｎ＋Ｏｃｎ＋Ｈｙｓ＜Ｍｐ＋Ｏｆｐ＋Ｏｃｐ＋Ｏｆｆ
式中の変数は以下のように規定される。
Ｍｎは、オフセットを考慮に入れないネイバリングセルの測定結果である。
Ｏｆｎは、ネイバーセルの周波数の周波数固有オフセット（すなわち、ネイバーセルの周波数に対応するｍｅａｓＯｂｊｅｃｔＥＵＴＲＡ内で規定されたｏｆｆｓｅｔＦｒｅｑ）である。
Ｏｃｎは、ネイバーセルのセル固有オフセット（すなわち、ネイバーセルの周波数に対応するｍｅａｓＯｂｊｅｃｔＥＵＴＲＡ内で規定されたｃｅｌｌＩｎｄｉｖｉｄｕａｌＯｆｆｓｅｔ）であり、ネイバーセルのために設定されない場合は０にセットされる。
Ｍｐは、オフセットを考慮に入れないＰＣｅｌｌ／ＰＳＣｅｌｌの測定結果である。
Ｏｆｐは、ＰＣｅｌｌ／ＰＳＣｅｌｌの周波数の周波数固有オフセット（すなわち、ＰＣｅｌｌ／ＰＳＣｅｌｌの周波数に対応するｍｅａｓＯｂｊｅｃｔＥＵＴＲＡ内で規定されたｏｆｆｓｅｔＦｒｅｑ）である。
Ｏｃｐは、ＰＣｅｌｌ／ＰＳＣｅｌｌのセル固有オフセット（すなわち、ＰＣｅｌｌ／ＰＳＣｅｌｌの周波数に対応するｍｅａｓＯｂｊｅｃｔＥＵＴＲＡ内で規定されたｃｅｌｌＩｎｄｉｖｉｄｕａｌＯｆｆｓｅｔ）であり、ＰＣｅｌｌ／ＰＳＣｅｌｌのために設定されない場合は０にセットされる。
Ｈｙｓは、このイベントのためのヒステリシスパラメータ（すなわち、このイベントのためのｒｅｐｏｒｔＣｏｎｆｉｇＥＵＴＲＡ内で規定されたヒステリシス）である。
Ｏｆｆは、このイベントのためのオフセットパラメータ（すなわち、このイベントのためのｒｅｐｏｒｔＣｏｎｆｉｇＥＵＴＲＡ内で規定されたａ３−Ｏｆｆｓｅｔ）である。
Ｍｎ、Ｍｐは、ＲＳＲＰの場合はｄＢｍ単位で、またはＲＳＲＱおよびＲＳ−ＳＩＮＲの場合はｄＢ単位で表される。
Ｏｆｎ、Ｏｃｎ、Ｏｆｐ、Ｏｃｐ、Ｈｙｓ、ＯｆｆはｄＢ単位で表される。
*****************************************************************************
【００４１】
また、同様のテキストが、イベントＡ４、Ａ５、Ａ６、Ｂ１およびＢ２のためにも利用可能である。
【００４２】
図２は、たとえばｅＮＢまたはｇＮＢなど、ネットワークノード１１０が、たとえばＲＲＣ接続再設定メッセージを使用して、専用シグナリングを通してＵＥ測定を設定するとき、関与するシグナリングを示す。それらの測定は、（図に示されていない）ＲＲＣ接続再開メッセージを介して設定されることもある。ＮＲの場合、ＵＥ１２０への測定設定は、（１つまたは複数の）他のＲＲＣメッセージを使用して提供されることもある。
【００４３】
アクション２０１：ネットワークノード１１０は、ＵＥ１２０のために必要とされる測定リポートトリガリング設定を決定し得る。
【００４４】
アクション２０２：ネットワークノード１１０は、ＲＲＣ接続再設定メッセージ、ＲＲＣ接続再開メッセージまたは任意の同様のＲＲＣメッセージなど、設定メッセージをＵＥ１２０に送る。設定メッセージは、単一の測定対象、たとえば品質に関連付けられた、複数の測定オフセットを含む。測定オフセットは、測定リポートをトリガするためのオフセット値を指示する。複数の測定オフセットの各々、たとえば第１の品質のための第１のオフセットおよび第２の品質のための第２のオフセットは、それぞれの測定に関係する。言い換えれば、測定オフセットの各々は、異なる測定に関係し得る。
【００４５】
アクション２０３：ＵＥ１２０は、受信された設定メッセージに基づいて再設定を実施し得、再設定が完了されたことを指示するＲＲＣ接続再設定完了メッセージをネットワークノード１１０に送り得る。
【００４６】
アクション２０４：ＵＥ１２０は、ＵＥ１２０のためのモビリティ測定など、測定を開始し、これは、本明細書では測定を実施すると呼ばれることもある。モビリティ測定は、本明細書ではリポートトリガリング設定と呼ばれることもある、受信された測定オフセットに基づいて、ＵＥ１２０によって報告され得る。測定リポートは、したがって、測定が、しきい値＋設定されたオフセットに達するとき、ネットワークノード１１０に送られ得る。
【００４７】
本明細書で開示される実施形態は、図２において開示されるシグナリングシーケンスを使用し得るが、ＥＵＴＲＡＮのために現在規定されている情報エレメント（ＩＥ）ＭｅａｓＣｏｎｆｉｇコンテンツの更新を提案する。
【００４８】
本明細書で開示される実施形態によれば、ＵＥ１２０は、周波数内測定、周波数間測定および／またはＲＡＴ間測定を実施するように要求され得る。ＵＥ１２０は、たとえば周期的測定またはイベント測定など、異なる報告基準を伴って、異なる周波数／ＲＡＴ上の複数の同時測定を実施するように要求され得る。異なる報告設定は、異なるトリガ量を有し得る。
【００４９】
さらに、ＮＲにおけるモビリティ測定は、ＬＴＥと比較していくつかの差を有する。イベントトリガリングのためのセル品質は、たとえば、イベントおよび測定対象ごとに独立して設定され得る、ＣＳＩ−ＲＳまたはＮＲ同期信号（ＮＲ−ＳＳ）のいずれかに基づき得る。言い換えれば、たとえばネットワークノード１１０を使用する、ネットワーク１００は、たとえばイベントＡ４などのＮＲ−ＳＳのための１つまたは複数の第１のイベントと、たとえばイベントＡ３などのＣＳＩ−ＲＳのための１つまたは複数の第２のイベントとを伴って、ＵＥ１２０を設定し得る。さらなる一例では、ネットワークノード１１０は、ＣＳＩ−ＲＳとＮＲ−ＳＳとのための同じイベントであって、ただし異なる測定対象に関連付けられた同じイベントを伴って、ＵＥ１２０を設定し得る。したがって、ＳＳとＣＳＩとのためのオフセットを、独立して、すなわちそれぞれに設定することが可能であることは有益であり、これらのオフセットは、これらが同じ測定対象に関係するにもかかわらず、異なる値と呼ばれることもある。
【００５０】
本明細書の実施形態によれば、異なる測定のための異なる測定リポートトリガリングオフセットは、たとえばネットワークノード１１０などによって、ネットワークからＵＥ１２０にシグナリングされ得る。
【００５１】
ネットワークは、たとえば、複数の測定リポートトリガリングオフセットを、たとえば、以下のものなど、異なるレベルのグラニュラリティにおいて設定し得る。
−  たとえばＲＳＲＰ、ＲＳＲＱ、ＳＩＮＲまたは任意の他の品質関係メトリックなど、トリガ量ごとに、
−  たとえばＳＳブロックＲＳまたはＣＳＩ−ＲＳなど、設定されたＲＳタイプごとに、
−  たとえば、平均化されるべきビームの最大数、平均のための良好なビームを選択するための絶対しきい値など、セル品質導出パラメータごとに。
あるいは、たとえば、以下のものなど、これらの任意の組合せである。
〇  セル測定のトリガ量（たとえばＲＳＲＰ、ＲＳＲＱ）ごとに
〇  セル測定のトリガ量およびＲＳタイプ（たとえば、ＳＳブロックに基づくセルＲＳＲＰ、ＣＳＩ−ＲＳに基づくセルＲＳＲＱ）ごとに
【００５２】
最も高い度合いのグラニュラリティにおいて、ネットワークノード１１０は、測定報告をトリガする測定オフセットを、たとえば１つの測定対象（ｍｅａｓＯｂｊｅｃｔＮＲ）にリンクされた１つの設定されたイベント（ｒｅｐｏｒｔＣｏｎｆｉｇＮＲ）など、各測定識別子について、異なる値にセットし得る。
【００５３】
ｔｒｉｇｇｅｒＱｕａｎｔｉｔｙごとに
たとえばネットワークノード１１０などのネットワークは、セルごとに１つまたは複数のオフセットを伴ってＵＥ１２０を設定し得、これらのオフセットの各々は、所与のｔｒｉｇｇｅｒＱｕａｎｔｉｔｙに関連付けられる。トリガ量は、たとえば、ＲＳＲＰ、ＲＳＲＱ、ＳＩＮＲまたは任意の品質測定結果であり得る。
【００５４】
実施形態は、ｒｅｐｏｒｔＣｏｎｆｉｇごとにセル固有オフセットを規定することによって実装され得、それらのオフセットは、同じくｒｅｐｏｒｔＣｏｎｆｉｇごとに規定され得る、設定されたｔｒｉｇｇｅｒＱｕａｎｔｉｔｙに関連付けられる。ネットワークは、さらに、２つまたはそれ以上のｒｅｐｏｒｔＣｏｎｆｉｇを提供し、各々が異なるｔｒｉｇｇｅｒＱｕａｎｔｉｔｙを有し、たとえば、第１のｒｅｐｏｒｔＣｏｎｆｉｇがｔｒｉｇｇｅｒＱｕａｎｔｉｔｙとしてＲＳＲＰを有し、第２のｒｅｐｏｒｔＣｏｎｆｉｇがｔｒｉｇｇｅｒＱｕａｎｔｉｔｙとしてＲＳＲＱを有し得る。ｒｅｐｏｒｔＣｏｎｆｉｇの各々について、ネットワークノード１１０は、セルごとに異なるオフセットをセットし得る。セルリストは、たとえば、ｒｅｐｏｒｔＣｏｎｆｉｇに関連付けられたｍｅａｓＯｂｊｅｃｔ中にまたはｒｅｐｏｒｔＣｏｎｆｉｇ内に含まれ得る。
【００５５】
実施形態を実装するための別のやり方は、測定対象内でｔｒｉｇｇｅｒＱｕａｎｔｉｔｙごとにセル固有オフセットを規定することによるものであり得る。言い換えれば、リンクされたｒｅｐｏｒｔＣｏｎｆｉｇ中でセットされ得るトリガ量に適用されるべき単一のオフセットの代わりに、ネットワークは、代わりにＫ個のオフセットを提供し、ｒｅｐｏｒｔＣｏｎｆｉｇ中でセットされ得る各ｔｒｉｇｇｅｒＱｕａｎｔｉｔｙについて１つのオフセットを提供し得る。たとえば、ＮＲでは、たとえば、トリガ量としてＲＳＲＰ、ＲＳＲＱまたはＳＩＮＲをセットすることが可能である場合、測定対象は、各セルについて、たとえば３つの可能なオフセットなど、複数の可能なオフセットを含み得る。したがって、ＵＥ１２０は、異なるトリガ量のための異なる測定リポートトリガリングオフセットに基づいて、測定報告をトリガし得る。
【００５６】
ＲＳタイプごとに
ＮＲでは、セル測定結果は、異なるタイプの参照信号、すなわち、たとえば、セル識別子および／または（たとえばタイマーインデックスなどの）ビーム固有指示として符号化する、ＮＲ２次同期信号（ＮＲ−ＳＳＳ）および／またはＮＲ１次サイドリンク同期信号（ＮＲ−ＰＳＳＳ）および／または物理ブロードキャストチャネル（ＰＢＣＨ）のためのＮＲ復調用参照信号（ＮＲ−ＤＭＲＳ）など、ＳＳブロックＲＳ、あるいは、専用シグナリングを介して設定され、ＵＥ固有であるＣＳＩ−ＲＳに基づいて算出され得る。
【００５７】
ＮＲでは、セル品質が、２つのタイプのＲＳ、すなわち、ＮＲ−ＳＳ（基本的にＮＲ−ＰＳＳおよび／またはＮＲ−ＳＳＳ）およびＣＳＩ−ＲＳに基づいて算出され得るという新しい側面がある。
【００５８】
ｒｅｐｏｒｔＣｏｎｆｉｇごとにＲＳタイプを設定するために、ネットワークノード１１０は、たとえば、所与のｒｅｐｏｒｔＣｏｎｆｉｇのためのＳＳブロックベースのセル品質と、別のｒｅｐｏｒｔＣｏｎｆｉｇのためのＣＳＩ−ＲＳベースのセル品質とを測定するようにＵＥ１２０を設定し得るが、それらの両方が、２つの異なる測定ＩＤを介して同じｍｅａｓＯｂｊｅｃｔにリンクされ得る。各ＲＳタイプについて、ネットワークノード１１０は、セル固有オフセットの別個のリストを設定し得る。この実施形態を実装するための１つのやり方は、ネットワークノード１１０によってｒｅｐｏｒｔＣｏｎｆｉｇごとにセル固有オフセットを規定するものであり得、それらのオフセットは、ｒｅｐｏｒｔＣｏｎｆｉｇごとにセットされ規定されているＲＳＴｙｐｅに関連付けられる。ＵＥ１２０は、ＲＳタイプＩＥがＳＳブロックにセットされる場合、オフセットをＳＳブロックに関連付けるが、ＵＥ１２０は、ｒｅｐｏｒｔＣｏｎｆｉｇ中でＲＳタイプＩＥがＣＳＩ−ＲＳにセットされる場合、オフセットをＣＳＩ−ＲＳに関連付ける。したがって、ネットワークノード１１０は、一方がＳＳブロックにセットされ、もう一方がＣＳＩ−ＲＳにセットされた、異なるＲＳＴｙｐｅを各々伴う２つのｒｅｐｏｒｔＣｏｎｆｉｇをＵＥ１２０に提供し得、それらの各々について、ネットワークノード１１０は、セルごとに異なるオフセットをセットし得る。セルリストは、たとえば、ｒｅｐｏｒｔＣｏｎｆｉｇに関連付けられたｍｅａｓＯｂｊｅｃｔ中にまたはｒｅｐｏｒｔＣｏｎｆｉｇ内に、のいずれかに含まれ得る。
【００５９】
実施形態を実装するための別のやり方は、ｍｅａｓＯｂｊｅｃｔ内で、ただしＲＳタイプごとに、セル固有オフセットを規定することによるものであり得る。言い換えれば、リンクされたｒｅｐｏｒｔＣｏｎｆｉｇ中でセットされ得るｔｒｉｇｇｅｒＱｕａｎｔｉｔｙに適用される単一のオフセットの代わりに、ネットワークノード１１０は、代わりにＵＥ１２０にＫ個のオフセットを提供し、ｒｅｐｏｒｔＣｏｎｆｉｇ中でセットされ得る各ＲＳタイプについて１つのオフセットを提供し得る。たとえば、ＮＲでは、トリガ量としてＳＳブロックまたはＣＳＩ−ＲＳをセットすることが可能である場合、ｍｅａｓＯｂｊｅｃｔは、各セルについて、リストなどの中のセルごとに２つの可能なオフセットを含み得る。
【００６０】
組み合わせられたＲＳタイプおよびｔｒｉｇｇｅｒＱｕａｎｔｉｔｙ
さらなる実施形態では、ネットワークノード１１０は、セルごとに１つまたは複数のオフセットを伴ってＵＥ１２０を設定し得、これらのオフセットの各々は、たとえばＲＳＲＰ、ＲＳＲＱ、ＳＩＮＲまたは同様のものなど、品質測定結果であり得る、所与のｔｒｉｇｇｅｒＱｕａｎｔｉｔｙと、ＲＳタイプとに関連付けられる。
【００６１】
この実施形態を実装するための１つのやり方は、ｒｅｐｏｒｔＣｏｎｆｉｇごとにセル固有オフセットを規定することによるものであり得、それらのオフセットは、ｒｅｐｏｒｔＣｏｎｆｉｇごとに規定された、設定されたｔｒｉｇｇｅｒＱｕａｎｔｉｔｙおよびＲＳＴｙｐｅに関連付けられる。これらの各々について、所与のセッティングに関連付けられたセル固有オフセットがあり得、その結果、異なるＲＳタイプおよびトリガ量について異なるセッティングがあり得る。セルリストは、ｒｅｐｏｒｔＣｏｎｆｉｇに関連付けられたｍｅａｓＯｂｊｅｃｔ中にまたはｒｅｐｏｒｔＣｏｎｆｉｇ内に、のいずれかに含まれ得る。ｒｅｐｏｒｔＣｏｎｆｉｇごとにセル固有オフセットのリストを設定することによって、ＵＥ１２０は、ｒｅｐｏｒｔＣｏｎｆｉｇのためにセットされたＲＳタイプおよびｔｒｉｇｇｅｒＱｕａｎｔｉｔｙに基づいて関連付けを決定し得る。
【００６２】
この実施形態を実装するための別のやり方は、測定対象内で、ただし組み合わせられたｔｒｉｇｇｅｒＱｕａｎｔｉｔｙおよびＲＳタイプごとに、セル固有オフセットを規定することによるものであり得、たとえば、一例としてテーブル４を参照されたい。言い換えれば、リンクされたｒｅｐｏｒｔＣｏｎｆｉｇ中でセットされ得るトリガ量に適用される単一のオフセットの代わりに、ネットワークノード１２０は、代わりにＵＥ１２０にＫ個のオフセットを提供し、ｒｅｐｏｒｔＣｏｎｆｉｇ中でセットされ得る各ｔｒｉｇｇｅｒＱｕａｎｔｉｔｙとＲＳタイプとの組合せについて１つのオフセットを提供し得る。たとえば、ＮＲでは、トリガ量としてＲＳＲＰ、ＲＳＲＱまたはＳＩＮＲをセットし、ＳＳブロックまたはＣＳＩ−ＲＳとしてセットされたＲＳタイプをセットすることが可能であり得、したがって、測定対象は、各セルについて、以下の可能な測定リポートトリガリングオフセットを含み得る。
−  ｔｒｉｇｇｅｒＱｕａｎｔｉｔｙがＲＳＲＰにセットされ、ＲＳタイプがＳＳブロックにセットされた１つの測定リポートトリガリングオフセット、
−  ｔｒｉｇｇｅｒＱｕａｎｔｉｔｙがＲＳＲＱにセットされ、ＲＳタイプがＳＳブロックにセットされた１つの測定リポートトリガリングオフセット、
−  ｔｒｉｇｇｅｒＱｕａｎｔｉｔｙがＲＳＲＰにセットされ、ＲＳタイプがＣＳＩ−ＲＳにセットされた１つの測定リポートトリガリングオフセット、
−  ｔｒｉｇｇｅｒＱｕａｎｔｉｔｙがＲＳＲＱにセットされ、ＲＳタイプがＣＳＩ−ＲＳにセットされた１つの測定リポートトリガリングオフセット。
【００６３】
上記の例では、４つのリストがあり、各々が、測定対象において規定されたトリガ量とＲＳタイプとの各組合せについて、１つの測定リポートトリガリングオフセットを含む。それにより、あるレベルのフレキシビリティが達成され得る。
【００６４】
ｒｅｐｏｒｔＣｏｎｆｉｇごとに測定リポートトリガリングオフセットを設定することの利点は、ｔｒｉｇｇｅｒＱｕａｎｔｉｔｙおよび／またはＲＳタイプごとにフレキシビリティを可能にすることに加えて、たとえばＡ１、Ａ２、Ａ３、Ａ４、Ａ５、Ａ６、Ｂ１および／またはＢ２など、異なる設定されたイベントについて、異なるオフセットを有することも可能であることである。
2020530698.tif 000019
テーブル４：本明細書の実施形態によるオフセットパラメータを含む測定対象ＩＥの例。
【００６５】
異なるトリガ量およびＲＳタイプのための、個別の周波数オフセットおよびセル固有オフセットが、テーブル４に従って測定対象において規定され得る。異なるトリガ量およびＲＳタイプのための、各個別の周波数オフセットおよび／またはセル固有オフセットは、本明細書では、一意のまたは異なる測定と呼ばれることもある。テーブル４では、本明細書の例示的な実施形態による、ネットワークノード１１０によって設定されるオフセットパラメータが、太字でマークされている。テーブル４に示されている例はパラメータの存在を指示するが、メッセージ内の実際のロケーション、およびパラメータの名前は異なり得る。テーブル４に示されている例では、個別の測定リポートトリガリングオフセットは、たとえば、ＲＳタイプとしてＳＳ、トリガ量としてＲＳＲＰを伴って、測定対象としての周波数（Ｆｒｅｑ）のために規定された、個別の測定リポートトリガリングオフセットｏｆｆｓｅｔＦｒｅｑ−ＳＳ−Ｒｓｒｐなど、異なる測定対象、およびＲＳ−タイプとトリガ量との組合せについて提供される。
【００６６】
別の実施形態では、同じターゲット周波数上の異なるしきい値を伴う測定を容易にするために、ネットワークノード１１０は、測定対象中に存在する測定オフセットがこの測定について無視されることを指定するパラメータをリポート設定中に含み得る。そのようなパラメータの一例は、以下のテーブル５に示されており、ビットマップが使用され、第１のビットは、ＲＳＴｙｐｅとｔｒｉｇｇｅｒＱｕａｎｔｉｔｙとに基づく関連する周波数オフセットが無視されるかどうかを指示し、第２のビットは、ｃｅｌｌＩｎｄｉｖｉｄｕａｌＯｆｆｓｅｔｓが無視されるかどうかを指示する。
【００６７】
ＲｅｐｏｒｔＣｏｎｆｉｇＮＲ
以下では、本明細書の実施形態を実装するための３ＧＰＰ  ＴＳ３８．３３１  ｖ．０．０．４（ＮＲ  ＲＲＣ仕様）において規定された、ネットワークノード１１０によってＵＥ１２０に送信され得るリポート設定ＩＥの一例が開示される。リポート設定ＩＥは、本明細書では、ＴＳ３８．３３１  ｖ．０．０．４（ＮＲ  ＲＲＣ仕様）に従って、ＲｅｐｏｒｔＣｏｎｆｉｇＮＲと呼ばれることもある。ネットワークノード１１０は、ＵＥ１２０のためのモビリティ測定とモビリティ測定の報告とを設定するために、ＲｅｐｏｒｔＣｏｎｆｉｇＮＲ  ＩＥを含む設定メッセージをＵＥ１２０に送り得る。ＩＥ  ＲｅｐｏｒｔＣｏｎｆｉｇＮＲは、ＮＲ測定報告イベントのトリガリングのための、すなわち、ＵＥ１２０がモビリティ測定などの測定の報告をトリガするときの、（１つまたは複数の）基準を指定する。測定報告イベントは、ＣＳＩ−ＲＳまたはＮＲ−ＳＳのいずれかに基づいて導出され得る、セルレベル測定に基づき得る。これらの測定報告イベントは、たとえば、ＡＮと標示され得、Ｎは、１、２などに等しい。以下では、本明細書の実施形態による例示的な測定報告イベントが開示される。
イベントＡ１：サービングセルが絶対しきい値よりも良くなる、
イベントＡ２：サービングセルが絶対しきい値よりも悪くなる、
イベントＡ３：ネイバーセルがＰＣｅｌｌおよび／またはＰＳＣｅｌｌよりもオフセットの分量だけ良くなる、
イベントＡ４：ネイバーセルが絶対しきい値よりも良くなる、
イベントＡ５：ＰＣｅｌｌおよび／またはＰＳＣｅｌｌが絶対しきい値１よりも悪くなり、ネイバーセルが別の絶対しきい値２よりも良くなる、
イベントＡ６：ネイバーセルがＳＣｅｌｌよりもオフセットの分量だけ良くなる。
ＲｅｐｏｒｔＣｏｎｆｉｇＮＲ情報エレメント
2020530698.tif 000020
2020530698.tif 000021
表１．
【００６８】
ビームレベル測定
ＮＲでは、セル品質を導出するために、ＵＥ１２０によってビームレベル測定が実施され得る。ＮＲにおけるセル品質は、次のように規定され得る。
−  ビームの数（Ｎ、これはｍｅａｓＯｂｊｅｃｔごとに設定される）がセットされない（または１にセットされる）場合、最良のビームの品質、
−  同じくｍｅａｓＯｂｊｅｃｔごとに設定された絶対しきい値を上回る他の検出されたビームとともに平均化された最良のビームの品質、ただし、平均化されたビームの総数はＮを超えることができない。測定オフセットも、絶対しきい値に基づいて設定され得、すなわち、測定リポートトリガリングオフセットは、絶対しきい値を下回るビームについて規定されないことがあるが、測定オフセットは、絶対しきい値を上回るビームについて、本明細書の他の例に従って設定され得る。言い換えれば、絶対しきい値を下回るビームは、モビリティ測定および／またはモビリティ測定の報告を実施するとき、ＵＥ１２０によって考慮されていない。
【００６９】
本明細書の一実施形態では、ネットワークノード１１０は、ｔｒｉｇｇｅｒＱｕａｎｔｉｔｙおよび／またはＲＳタイプごとのこれらのセル品質導出パラメータのためのセル固有オフセットを伴ってＵＥ１２０を設定し得る。言い換えれば、所与のセルについて、各セル品質導出パラメータのために設定されるべき異なるパラメータ。この実施形態の一例では、ネットワークノード１１０は、ｒｅｐｏｒｔＣｏｎｆｉｇごとにパラメータＮのためのオフセットと絶対しきい値とを設定し得、これは、異なるＲＳタイプおよびトリガ量のための異なる設定を可能にし得る。
【００７０】
これらのセル品質導出パラメータはまた、測定対象において規定され、測定リポートトリガリングオフセットがＲＳタイプおよびｔｒｉｇｇｅｒＱｕａｎｔｉｔｙごとにセットされることを可能にし得る。セル品質パラメータは、たとえば、ネットワークノード１１０によって規定および／またはセットされ得る。
【００７１】
さらに、ＵＥ１２０は、測定リポートがセル品質に基づいてトリガされる場合、所与のセルに関連付けられたビームレベル測定を報告するように設定され得る。前に説明されたように、これらは、たとえばＳＳブロックまたはＣＳＩ−ＲＳなど、ＲＳに基づき得る。ＵＥ１２０は、たとえば、ネットワークノード１１０によって設定され得る。
【００７２】
ＣＳＩ−ＲＳの特定の場合には、単一のビーム品質に基づいて、またはビーム品質のセットに基づいて、（１つまたは複数の）Ｃ１および／またはＣ２イベントがあり得る。したがって、セルレベル測定のための上記で説明された原理は、ビームレベル測定結果にも適用可能であり得る。ビームレベル測定結果の場合、測定対象は、各セルに関連付けられたＣＳＩ−ＲＳリソースのリストを含んでいることがあり、セル固有オフセットは、以下ごとに規定され得る。
−  設定されたＣＳＩ−ＲＳリソース、
−  トリガ量ごとに、または
−  これらの組合せ。
【００７３】
ＮＲでは、セル品質は、さらに、所与のセルに関連付けられた最良のビームを、設定可能な絶対しきい値を上回るそのセルの残りのＮ個のビームとともに平均化することによって導出され得る。本明細書ではオフセットと呼ばれることもある、その絶対しきい値と、パラメータＮとは、測定対象ごとに設定され得、すなわち、それらはすべてのセルについて同じであるべきである。
【００７４】
ビームレベル測定がＵＥ１２０によって実施されるとき、ＵＥ１２０によってネットワークノード１１０に送られる測定リポートが、たとえばＲＳＲＰおよび／またはＲＳＲＱおよび／またはＳＩＮＲなどのビームレベル量、ならびに、たとえば報告すべきビームの数などの関連付けられた情報を含むように、報告フォーマットも変更され得る。
【００７５】
周波数内測定および周波数間測定の場合、測定対象は、ＮＲダウンリンクキャリア周波数に関連付けられ得る。このキャリア周波数と関連して、ネットワークは、「ブラックリストに載せられた（ｂｌａｃｋｌｉｓｔｅｄ）」セルのリストと「ホワイトリストに載せられた（ｗｈｉｔｅｌｉｓｔｅｄ）」セルのリストとを設定し得る。ブラックリストに載せられたセルは、イベント評価または測定報告において適用可能でない。ホワイトリストに載せられたセルは、イベント評価および／または測定報告において適用可能なセルのみであり、すなわち、ＵＥ１２０は、ホワイトリストに載せられたセル上でのみモビリティ測定およびモビリティ測定報告を実施する。ブラックリストに載せられたセルは、セル品質導出パラメータのためのしきい値をセットすることによって決定され得、しきい値を下回るセルが、ブラックリストに載せられる。
【００７６】
テーブル５は、任意の測定対象において指定されたオフセットが、この測定について無視されることを指示するパラメータを含む、本明細書のいくつかの実施形態によるリポート設定ＩＥの一例を開示する。このパラメータは、テーブル５に示されている例において、太字およびイタリック体でマークされている。テーブル５において開示される例では、パラメータの存在が指示されるが、メッセージ内の実際のロケーション、およびパラメータの名前は異なり得る。
【００７７】
提案されるソリューションは、ＧＵＴＲＡＮ（ＮＲ）仕様とＥＵＴＲＡＮ（ＬＴＥ）仕様の両方について有効であり得る。そのソリューションは、たとえば、ＧＵＴＲＡＮ、ＥＵＴＲＡＮ、ＵＴＲＡＮおよびＧＥＲＡＮなど、ＲＡＴ内ＵＥ測定とＲＡＴ間ＵＥ測定の両方に対して適用され得る。
【００７８】
次に、ＵＥ１２０のためのモビリティ測定を設定するための、ネットワークノード１１０によって実施される方法の実施形態の例が、図３に示されているフローチャートを参照しながら説明される。
【００７９】
図３中のボックスの破線は、このアクションが、いくつかの実施形態のみにおいて実施され、必須ではないことを指示する。
【００８０】
アクション３０１
ネットワークノード１１０は、ＵＥ１２０のための必要とされる測定オフセット設定を決定し得る。このアクション３０１は、たとえば、ネットワークノード１１０中に備えられた決定モジュールによって実施され得る。
【００８１】
このアクション３０１は、図２に関して説明されたアクション２０１と同様である。
【００８２】
アクション３０２
ネットワークノード１１０は、ＵＥ１２０に設定メッセージを送り、設定メッセージは、同じ測定対象と呼ばれることもある、単一の測定対象に関連付けられた、複数の測定オフセットを含む。測定オフセットは、測定リポートをトリガするためのオフセット値を指示する。したがって、測定が、しきい値＋測定のために設定されたオフセットに達するとき、送信のリポートの送信がトリガされるものとし、これは、実施されると呼ばれることもある。複数の測定オフセットの各々は、異なるまたは一意の測定と呼ばれることもある、それぞれの測定に関係する。本明細書では、一意のまたは異なる測定という用語は、異なるトリガ量およびＲＳタイプのために規定される、周波数オフセットとセル固有オフセットとの一意の組合せとして解釈され得る。この設定メッセージは、決定された必要とされる測定設定に基づき得る。このアクション３０２は、たとえば、ネットワークノード１１０中に備えられた送信モジュールによって実施され得る。測定対象は、たとえば、ＵＥ１２０がモビリティ測定を実施する周波数、またはＵＥ１２０がモビリティ測定を実施するいくつかのセル、あるいはそれらの組合せであり得る。したがって、測定対象は、ＵＥ１２０がモビリティ測定を実施する、周波数および／またはセルを含み得る。
【００８３】
ネットワークノード１１０は、トリガ量または任意の他の品質関係メトリックごとに測定リポートトリガリングオフセットを設定し得、これは、本明細書では規定すると呼ばれることもある。トリガ量は、たとえば、ＲＳＲＰ、ＲＳＲＱおよび／またはＳＩＮＲであり得る。
【００８４】
ネットワークノード１１０は、設定されたＲＳタイプごとに測定リポートトリガリングオフセットを設定し得る。ＲＳタイプは、たとえば、モビリティ測定および／またはＵＥ１２０からのモビリティ測定報告のために設定され得る。ＲＳタイプは、ＳＳブロックＲＳまたはＣＳＩ−ＲＳであり得る。
【００８５】
ネットワークノード１１０は、測定リポートトリガリングオフセットが、セル品質導出パラメータごとに設定されることを設定し得る。セル品質導出パラメータは、たとえば、平均化されるべきビームの最大数、または平均化のための好適なビームを選択するための絶対しきい値であり得る。
【００８６】
さらなる実施形態によれば、ネットワークノード１１０は、セル品質導出パラメータごとに測定オフセットを規定し得る。
【００８７】
このアクション３０２は、図２に関して説明されたアクション２０２と同様である。
【００８８】
次に、モビリティ測定を実施するための、ＵＥ１２０によって実施される方法の実施形態の例が、図４に示されているフローチャートを参照しながら説明される。図４中のボックスの破線は、このアクションが、いくつかの実施形態のみにおいて実施され、必須ではないことを指示する。
【００８９】
アクション４０１
ＵＥ１２０は、単一の測定対象に関連付けられた複数の測定オフセットを受信する。測定オフセットは、測定リポートをトリガするためのオフセット値を指示する。複数の測定オフセットの各々は、ＵＥ１２０によって実施されるべきそれぞれの測定のために規定される。
【００９０】
測定オフセットは、たとえば、トリガ量ごとに設定され得る。トリガ量は、たとえば、ＲＳＲＰ、ＲＳＲＱ、ＳＩＮＲおよび／または任意の他の品質関係メトリックであり得る。
【００９１】
本明細書の実施形態による方法のいくつかの実施形態では、測定オフセットは、ＵＥ１２０のために設定されたＲＳタイプごとになど、設定され得る。ＲＳタイプは、たとえば、ＳＳブロックＲＳまたはＣＳＩ−ＲＳであり得る。
【００９２】
本明細書のいくつかの実施形態では、測定オフセットは、セル品質導出パラメータごとに設定され得る。
【００９３】
測定対象は、たとえば、ＵＥ１２０がモビリティ測定を実施する周波数、またはＵＥ１２０がモビリティ測定を実施するいくつかのセルであり得る。
【００９４】
本明細書のいくつかの実施形態では、ＵＥ１２０は、ネットワークノード１１０からの設定メッセージ中で複数の測定オフセットを受信し得る。
【００９５】
このアクション４０１は、図２に関して説明されたアクション２０２と同様である。
【００９６】
アクション４０２
ＵＥ１２０は、測定リポート送信をトリガするために測定オフセットを考慮に入れてモビリティ測定プロセスを実施する。言い換えれば、測定が、しきい値＋測定オフセットに達するとき、ＵＥ１２０はネットワークノード１１０に測定のリポートを送信し得る。
【００９７】
このアクション４０２は、図２に関して説明されたアクション２０４と同様である。
【００９８】
図５ａを参照すると、図３の方法を実施するためのネットワークノード１１０の実施形態の概略ブロック図が示されている。
【００９９】
ネットワークノードは、本明細書で説明される方法を実施するための手段など、処理モジュール５０１を備え得る。その手段は、１つまたは複数のハードウェアモジュールおよび／または１つまたは複数のソフトウェアモジュールの形態で具現され得る。
【０１００】
ネットワークノードはメモリ５０２をさらに備え得る。メモリは、たとえば、コンピュータ可読コードユニットを備え得るコンピュータプログラム製品５０３の形態で、命令を、含んでいるまたは記憶するなど、備え得る。
【０１０１】
本明細書のいくつかの実施形態によれば、ネットワークノードおよび／または処理モジュール５０１は、例示するハードウェアモジュールとして処理回路５０４を備える。したがって、処理モジュール５０１は、処理回路５０４の形態で具現されるか、または処理回路５０４「によって実現され」得る。命令は、処理回路５０４によって実行可能であり得、それにより、ネットワークノードは、本明細書で説明される方法、および特に図３に関して説明された方法を実施するように動作可能であり得る。別の例として、命令は、ネットワークノード１１０および／または処理回路５０４によって実行されたとき、ネットワークノード１１０に、図３と、ネットワークノード１１０に関係する本明細書で開示されるさらなる例とによる方法を実施させ得る。
【０１０２】
上記に鑑みて、一例では、ＵＥ１２０のためのモビリティ測定を設定するためのネットワークノード１１０が提供される。上述のように、ネットワークノード１１０は、図３に関して開示される方法ステップを実施するように設定され得る。
【０１０３】
再び、メモリ５０２は、前記処理回路５０４によって実行可能な命令を含んでいることがあり、それにより、ネットワークノード１１０は、以下を行うために動作可能であり得る。
−  ＵＥ１２０に設定メッセージを送ることであって、その設定メッセージが、単一の測定対象に関連付けられた複数の測定オフセットを含み、測定オフセットが、測定リポートをトリガするためのオフセット値を指示し、複数の測定オフセットの各々が、異なる測定に関係する、設定メッセージを送ること。
【０１０４】
メモリ５０２は、前記処理回路５０４によって実行可能な命令をさらに含んでいることがあり、それにより、ネットワークノード１１０は、以下を行うためにさらに動作可能であり得る。
−  ＵＥ１２０のための必要とされる測定オフセット設定を決定すること。
測定オフセット設定は、単一の測定対象に関連付けられた測定オフセットを含み得、測定オフセットは、測定リポートをトリガするためのオフセット値を指示する。
【０１０５】
図５は、すぐ上で説明されたコンピュータプログラム４０３を備える、キャリア５０５、またはプログラムキャリアをさらに示す。
【０１０６】
いくつかの実施形態では、処理モジュール５０１は、適用可能なとき、以下で説明される受信モジュールおよび／または送信モジュールによって例示され得る、入出力モジュール５０６を備える。
【０１０７】
さらなる実施形態では、ネットワークノード１１０および／または処理モジュール５０１は、例示するハードウェアモジュールとして、送信モジュール５１０、設定モジュール５２０、および決定モジュール５３０のうちの１つまたは複数を備え得る。他の例では、上述の例示するハードウェアモジュールのうちの１つまたは複数は、１つまたは複数のソフトウェアモジュールとして実装され得る。
【０１０８】
したがって、ネットワークノード１１０は、ＵＥ１２０に設定メッセージを送るために設定され得、その設定メッセージは、同じ測定対象に関連付けられた複数の測定オフセットを含み、複数の測定オフセットの各々は、異なる測定に関係する。
【０１０９】
したがって、上記で説明された様々な実施形態によれば、ネットワークノード１１０および／または処理モジュール５０１および／または送信モジュール５１０は、ＵＥ１２０に設定メッセージを送るように設定され得、その設定メッセージは、同じ測定対象に関連付けられた複数の測定リポートトリガリングオフセットを含み得、複数の測定リポートトリガリングオフセットの各々は、異なる測定に関係する。
【０１１０】
さらに、ネットワークノード１１０は、ＵＥ１２０のための必要とされる測定リポートトリガリングオフセット設定を決定するように設定され得る。
【０１１１】
したがって、上記で説明された様々な実施形態によれば、ネットワークノード１１０および／または処理モジュール５０１および／または決定モジュール５３０は、ＵＥ１２０のための必要とされる測定リポートトリガリングオフセット設定を決定するように設定され得る。設定モジュール（ｃｏｎｆｉｇｕｒｉｎｇ  ｍｏｄｕｌｅ）は、本明細書では、設定モジュール（ｃｏｎｆｉｇｕｒａｔｉｏｎ  ｍｏｄｕｌｅ）と呼ばれることもある。
【０１１２】
ネットワークノード１１０は、ＲＳＲＰ、ＲＳＲＱ、ＳＩＮＲまたは任意の他の品質関係メトリックなど、トリガ量ごとに、測定リポートトリガリングオフセットを設定するようにさらに設定され得る。
【０１１３】
したがって、上記で説明された様々な実施形態によれば、ネットワークノード１１０および／または処理モジュール５０１および／または設定モジュール５２０は、ＲＳＲＰ、ＲＳＲＱ、ＳＩＮＲまたは任意の他の品質関係メトリックなど、トリガ量ごとに、測定オフセットを設定するために／設定するように設定され得る。
【０１１４】
ネットワークノード１１０は、たとえばＳＳブロックＲＳまたはＣＳＩ−ＲＳなど、設定されたＲＳ−タイプごとに、測定オフセットを設定するために／設定するようにさらに設定され得る。
【０１１５】
したがって、上記で説明された様々な実施形態によれば、ネットワークノード１１０および／または処理モジュール５０１および／または設定モジュール５２０は、たとえばＳＳブロックＲＳまたはＣＳＩ−ＲＳなど、設定されたＲＳ−タイプごとに、測定オフセットを設定するために／設定するように設定され得る。ネットワークノード１１０は、ＵＥ１２０に送られる設定メッセージ中で測定オフセットをセットすることによって、測定オフセットを設定し得る。
【０１１６】
ネットワークノード１１０は、たとえば平均化されるべきビームの最大数または平均化のための好適なビームを選択するための絶対しきい値など、セル品質導出パラメータごとに、測定オフセットを設定するために／設定するようにさらに設定され得る。
【０１１７】
したがって、上記で説明された様々な実施形態によれば、ネットワークノード１１０および／または処理モジュール５０１および／または設定モジュール５２０は、たとえば平均化されるべきビームの最大数または平均化のための好適なビームを選択するための絶対しきい値など、セル品質導出パラメータごとに、測定オフセットを設定するために／設定するように設定され得る。ネットワークノード１１０は、ＵＥ１２０に送られる設定メッセージ中で測定オフセットをセットすることによって、測定オフセットを設定し得る。
【０１１８】
ネットワークノード１１０は、測定オフセットを各測定識別子について異なる値にセットするようにさらに設定され得る。
【０１１９】
したがって、上記で説明された様々な実施形態によれば、ネットワークノード１１０および／または処理モジュール４０１および／または設定モジュール４２０は、測定報告をトリガするための測定オフセットを、各測定識別子について異なる値にセットするように設定され得る。
【０１２０】
本明細書の実施形態はまた、図５ｂに示されているように、ネットワークノード１１０中の処理回路要素のそれぞれのプロセッサまたは１つまたは複数のプロセッサを通して実装され得、その処理回路要素は、図３と、ネットワークノード１１０について上記で説明された実施形態とによる、方法アクションを実施するように設定される。
【０１２１】
実施形態は、本明細書の実施形態の機能およびアクションを実施するためのそれぞれのコンピュータプログラムコードとともにプロセッサによって実施され得る。上述のプログラムコードはまた、たとえば、ネットワークノード１１０にロードされているとき、本明細書の実施形態を実施するためのコンピュータプログラムコードを搬送するデータキャリアの形態の、コンピュータプログラム製品として提供され得る。１つのそのようなキャリアは、ＣＤ  ＲＯＭディスクの形態であり得る。ただし、そのようなキャリアは、たとえばメモリスティックなど、他のデータキャリアで実現可能である。コンピュータプログラムコードは、さらに、サーバ上の純粋なプログラムコードとして提供され、ネットワークノード１１０にダウンロードされ得る。
【０１２２】
ネットワークノード１１０はメモリ５０２をさらに備え得る。メモリは、実行されているときに本明細書で開示される方法を実施するためのソフトウェア、パッチ、システム情報、設定、診断データ、性能データおよび／またはアプリケーション、ならびに同様のものなど、データを記憶するために使用されるべき１つまたは複数のメモリユニットを備え得る。
【０１２３】
ネットワークノード１１０のための本明細書で説明される実施形態による方法は、それぞれ、少なくとも１つのプロセッサ上で実行されたとき、ネットワークノード１１０によって実施されるように、少なくとも１つのプロセッサに、本明細書で説明されるアクションを行わせる、命令、すなわち、ソフトウェアコード部分を備える、たとえばコンピュータプログラム５０３またはコンピュータプログラム製品によって実装され得る。コンピュータプログラム５０３は、コンピュータ可読記憶媒体、たとえば、キャリア５０５、ディスクまたは同様のものに記憶され得る。コンピュータプログラムを記憶したコンピュータ可読記憶媒体は、少なくとも１つのプロセッサ上で実行されたとき、ネットワークノード１１０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。
【０１２４】
また、上記で説明された入出力モジュール５０６、処理モジュール５０１、送信モジュール５１０、設定モジュール５２０、決定モジュール５３０は、アナログおよびデジタル回路、ならびに／または、上記で説明された処理ユニットなど、１つまたは複数のプロセッサによって実行されたとき、ネットワークノード１１０によって実施されるように、上記のアクションのいずれかによるアクションを実施する、たとえばメモリ５０２に記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、いくつかのプロセッサおよび様々なデジタルハードウェアが、いくつかの別個の構成要素間で分散され得る。
【０１２５】
提案されるソリューションは、ｅＮＢ／ｇＮＢのクラウド実装形態ならびに分散実装形態についても適用可能であり得る。
【０１２６】
本明細書の実施形態において説明されるネットワークノード１１０は、一般に「クラウド（ｔｈｅ  ｃｌｏｕｄ）」と呼ばれる、クラウドのような環境におけるリソースによっても実装され得る。本明細書のネットワークノード１１０によって実施される方法アクションは、無線アクセスノードのコンテキストにおいて説明されるが、その方法は、たとえばサーバおよび／またはデータセンターなど、第１のクラウド中に備えられたコアネットワークノードまたは分散ノードによっても実施され得る。方法アクションは、たとえば、コアネットワークノードまたは分散ノード上にホストされた集中型サービスであり得る、論理機能によって実施され得る。
【０１２７】
図６ａを参照すると、図４の方法を実施するためのＵＥ１２０の第１の実施形態の概略ブロック図が示されている。
【０１２８】
ＵＥ１２０は、本明細書で説明される方法を実施するための手段など、処理モジュール６０１を備え得る。その手段は、１つまたは複数のハードウェアモジュールおよび／または１つまたは複数のソフトウェアモジュールの形態で具現され得る。
【０１２９】
ＵＥ１２０はメモリ６０２をさらに備え得る。メモリは、たとえば、コンピュータ可読コードユニットを備え得るコンピュータプログラム６０３の形態で、命令を、含んでいるまたは記憶するなど、備え得る。
【０１３０】
本明細書のいくつかの実施形態によれば、ＵＥ１２０および／または処理モジュール６０１は、例示するハードウェアモジュールとして処理回路６０４を備える。したがって、処理モジュール６０１は、処理回路５０４の形態で具現されるか、または処理回路６０４「によって実現され」得る。命令は、処理回路６０４によって実行可能であり得、それにより、ネットワークノードは、本明細書で説明される方法、および特に図４に関して説明された方法を実施するように動作可能であり得る。別の例として、命令は、ＵＥ１２０および／または処理回路６０４によって実行されたとき、ＵＥ１２０に、図４と、本明細書で開示されるさらなる例とによる方法を実施させ得る。
【０１３１】
上記に鑑みて、一例では、モビリティ測定を実施するためのＵＥ１２０が提供される。上述のように、ＵＥ１２０は、図４に関して開示される方法ステップを実施するように設定され得る。
【０１３２】
再び、メモリ６０２は、前記処理回路６０４によって実行可能な命令を含んでいることがあり、それにより、ＵＥ１２０は、以下を行うために動作可能であり得る。
−  単一の測定対象に関連付けられた複数の測定オフセットを受信することであって、測定オフセットが、測定リポートをトリガするためのオフセット値を指示する、複数の測定オフセットを受信すること。
複数の測定オフセットの各々は、ＵＥ１２０によって実施されるべきそれぞれの測定のために規定される。
【０１３３】
メモリ６０２は、前記処理回路６０４によって実行可能な命令をさらに含んでいることがあり、それにより、ＵＥ１２０は、以下を行うためにさらに動作可能であり得る。
−  測定リポート送信をトリガするために測定オフセットを考慮に入れてモビリティ測定プロセスを実施すること。
【０１３４】
図６ａは、すぐ上で説明されたコンピュータプログラム６０３を備える、キャリア６０５、またはプログラムキャリアをさらに示す。
【０１３５】
いくつかの実施形態では、処理モジュール６０１は、適用可能なとき、以下で説明される受信モジュールおよび／または実施モジュールによって例示され得る、入出力モジュール６０６を備える。
【０１３６】
さらなる実施形態では、ＵＥ１２０および／または処理モジュール６０１は、例示するハードウェアモジュールとして、受信モジュール６１０および実施モジュール６２０のうちの１つまたは複数を備え得る。他の例では、上述の例示するハードウェアモジュールのうちの１つまたは複数は、１つまたは複数のソフトウェアモジュールとして実装され得る。
【０１３７】
したがって、ＵＥ１２０は、単一の測定対象に関連付けられた複数の測定オフセットを受信するように設定され得、測定オフセットは、測定リポートをトリガするためのオフセット値を指示し、複数の測定オフセットの各々は、ＵＥ１２０によって実施されるべきそれぞれの測定のために規定される。
【０１３８】
したがって、上記で説明された様々な実施形態によれば、ＵＥ１２０および／または処理モジュール６０１および／または受信モジュール６１０は、単一の測定対象に関連付けられた複数の測定オフセットを受信するように設定され得、測定オフセットは、測定リポートをトリガするためのオフセット値を指示し、複数の測定オフセットの各々は、それぞれの測定のために規定される。
【０１３９】
さらに、ＵＥ１２０は、ネットワークノード１１０から受信される設定メッセージ中で複数の測定オフセットを受信するように設定され得る。
【０１４０】
したがって、上記で説明された様々な実施形態によれば、ＵＥ１２０および／または処理モジュール６０１および／または受信モジュール６１０は、ネットワークノード１１０から受信される設定メッセージ中で複数の測定オフセットを受信するように設定され得る。
【０１４１】
さらに、ＵＥ１２０は、測定リポート送信をトリガするために測定オフセットを考慮に入れてモビリティ測定プロセスを実施するように設定され得る。これは、ＵＥ１２０が複数の測定オフセットに基づいてモビリティ測定報告を実施するように設定されることと呼ばれることもある。
【０１４２】
したがって、上記で説明された様々な実施形態によれば、ＵＥ１２０および／または処理モジュール６０１および／または実施モジュール６２０は、複数の測定オフセットに基づいてモビリティ測定報告を実施するように設定され得る。
【０１４３】
本明細書の実施形態はまた、図６ｂに示されているように、ＵＥ１２０中の処理回路要素６０４のそれぞれのプロセッサまたは１つまたは複数のプロセッサを通して実装され得、その処理回路要素は、図４と、ＵＥ１２０について上記で説明された実施形態とによる、方法アクションを実施するように設定される。
【０１４４】
実施形態は、本明細書の実施形態の機能およびアクションを実施するためのそれぞれのコンピュータプログラムコードとともにプロセッサによって実施され得る。上述のプログラムコードはまた、たとえば、ネットワークノード１１０にロードされているとき、本明細書の実施形態を実施するためのコンピュータプログラムコードを搬送するデータキャリア６０５の形態の、コンピュータプログラム製品として提供され得る。１つのそのようなキャリアは、ＣＤ  ＲＯＭディスクの形態であり得る。ただし、そのようなキャリアは、たとえばメモリスティックなど、他のデータキャリアで実現可能である。コンピュータプログラムコードは、さらに、サーバ上の純粋なプログラムコードとして提供され、ＵＥ１２０にダウンロードされ得る。
【０１４５】
ＵＥ１２０はメモリ６０２をさらに備え得る。メモリは、実行されているときに本明細書で開示される方法を実施するためのソフトウェア、パッチ、システム情報、設定、診断データ、性能データおよび／またはアプリケーション、ならびに同様のものなど、データを記憶するために使用されるべき１つまたは複数のメモリユニットを備え得る。
【０１４６】
ＵＥ１２０のための本明細書で説明される実施形態による方法は、それぞれ、少なくとも１つのプロセッサ上で実行されたとき、ＵＥ１２０によって実施されるように、少なくとも１つのプロセッサに、本明細書で説明されるアクションを行わせる、命令、すなわち、ソフトウェアコード部分を備える、たとえばコンピュータプログラムまたはコンピュータプログラム製品によって実装され得る。コンピュータプログラムは、コンピュータ可読記憶媒体、たとえばディスクまたは同様のものに記憶され得る。コンピュータプログラムを記憶したコンピュータ可読記憶媒体は、少なくとも１つのプロセッサ上で実行されたとき、ＵＥ１２０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。
【０１４７】
また、上記で説明された入出力モジュール６０６、処理モジュール６０１、受信モジュール６１０、実施モジュール６２０は、アナログおよびデジタル回路、ならびに／または、上記で説明された処理ユニットなど、１つまたは複数のプロセッサによって実行されたとき、ＵＥ１２０によって実施されるように、上記のアクションのいずれかによるアクションを実施する、たとえばメモリ６０２に記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、いくつかのプロセッサおよび様々なデジタルハードウェアが、いくつかの別個の構成要素間で分散され得る。
【０１４８】
「備える、含む（ｃｏｍｐｒｉｓｅ）」または「備える、含む（ｃｏｍｐｒｉｓｉｎｇ）」という単語を使用するとき、その単語は、非限定的、すなわち、「少なくとも〜からなる（ｃｏｎｓｉｓｔ  ａｔ  ｌｅａｓｔ  ｏｆ）」を意味するとして解釈される。
付録１
2020530698.tif 000022
2020530698.tif 000023
2020530698.tif 000024
2020530698.tif 000025
【手続補正２】
【補正対象書類名】特許請求の範囲
【補正対象項目名】全文
【補正方法】変更
【補正の内容】
【特許請求の範囲】
【請求項１】
ユーザ機器（ＵＥ）（１２０）のためのモビリティ測定を設定するための、ネットワークノード（１１０）によって実施される方法であって、前記方法は、
−前記ＵＥ（１２０）に設定メッセージを送ること（３０２）であって、前記設定メッセージが、単一の測定対象に関連付けられた複数の測定オフセットを含み、前記測定オフセットが、測定リポートをトリガするためのオフセット値を指示し、前記複数の測定リポートトリガリングオフセットの各々が、それぞれの測定に関係し、前記測定リポートトリガリングオフセットが、前記ＵＥ（１２０）のための前記モビリティ測定のために設定された参照信号タイプ（ＲＳタイプ）ごとに規定される、設定メッセージを送ること（３０２）
を含む、方法。
【請求項２】
前記測定リポートトリガリングオフセットがトリガ量ごとに規定され、前記トリガ量が、参照信号受信電力（ＲＳＲＰ）、参照信号受信品質（ＲＳＲＱ）、および／または信号対干渉プラス雑音比（ＳＩＮＲ）である、請求項１に記載の方法。
【請求項３】
前記ＲＳタイプが、同期信号（ＳＳ）ブロックＲＳまたはＣＳＩ−ＲＳである、請求項１に記載の方法。
【請求項４】
前記測定リポートトリガリングオフセットが、セル品質導出パラメータごとに規定され、前記セル品質導出パラメータが、平均化されるべきビームの最大数、または平均化のための好適なビームを選択するための絶対しきい値である、請求項１から３のいずれか一項に記載の方法。
【請求項５】
前記測定対象は、前記ＵＥ（１２０）が前記モビリティ測定を実施する周波数を含む、請求項１から４のいずれか一項に記載の方法。
【請求項６】
前記測定対象は、前記ＵＥ（１２０）が前記モビリティ測定を実施するいくつかのセルを含む、請求項１から５のいずれか一項に記載の方法。
【請求項７】
ＵＥ（１２０）のためのモビリティ測定を設定するための方法を実施するためのネットワークノード（１１０）であって、前記ネットワークノード（１１０）は、
−前記ＵＥ（１２０）に設定メッセージを送ることであって、前記設定メッセージが、単一の測定対象に関連付けられた複数の測定オフセットを含み、前記測定オフセットが、測定リポートをトリガするためのオフセット値を指示し、前記複数の測定リポートトリガリングオフセットの各々が、それぞれの測定に関係する、設定メッセージを送ることを行うように設定され、前記ネットワークノード（１１０）が、
−前記測定リポートトリガリングオフセットを、設定されたＲＳタイプごとに規定すること
を行うようにさらに設定された、ネットワークノード（１１０）。
【請求項８】
前記ネットワークノード（１１０）が、
−前記測定リポートトリガリングオフセットをトリガ量ごとに規定することを行うように設定され、前記トリガ量が、参照信号受信電力（ＲＳＲＰ）、参照信号受信品質（ＲＳＲＱ）、および／または信号対干渉プラス雑音比（ＳＩＮＲ）である、
請求項７に記載のネットワークノード（１１０）。
【請求項９】
前記ネットワークノード（１１０）が、
−前記測定リポートトリガリングオフセットをセル品質導出パラメータごとに規定することを行うように設定され、前記セル品質導出パラメータが、平均化されるべきビームの最大数、または平均化のための好適なビームを選択するための絶対しきい値である、
請求項７または８に記載のネットワークノード（１１０）。
【請求項１０】
前記ネットワークノード（１１０）が、
−前記測定リポートトリガリングオフセットを各測定識別子について異なる値にセットすること
を行うように設定された、請求項７から９のいずれか一項に記載のネットワークノード（１１０）。
【請求項１１】
モビリティ測定を実施するための、ユーザ機器（ＵＥ）（１２０）によって実施される方法であって、前記方法は、
−単一の測定対象に関連付けられた複数の測定オフセットを受信すること（４０１）であって、前記測定オフセットが、測定リポートをトリガするためのオフセット値を指示し、前記複数の測定オフセットの各々が、それぞれの測定のために規定され、前記測定オフセットが、前記ＵＥ（１２０）のためのモビリティ測定のために設定された参照信号タイプ（ＲＳタイプ）ごとに設定される、複数の測定オフセットを受信すること（４０１）と、
−測定リポート送信をトリガするために前記測定オフセットを考慮に入れてモビリティ測定プロセスを実施すること（４０２）と
を含む、方法。
【請求項１２】
前記測定オフセットがトリガ量ごとに設定され、前記トリガ量が、参照信号受信電力（ＲＳＲＰ）、参照信号受信品質（ＲＳＲＱ）、および／または信号対干渉プラス雑音比（ＳＩＮＲ）である、請求項１１に記載の方法。
【請求項１３】
前記ＲＳタイプが、ＳＳブロックＲＳまたはＣＳＩ−ＲＳである、請求項１１に記載の方法。
【請求項１４】
前記測定オフセットが、セル品質導出パラメータごとに設定され、前記セル品質導出パラメータが、平均化されるべきビームの最大数、または平均化のための好適なビームを選択するための絶対しきい値である、請求項１１から１３のいずれか一項に記載の方法。
【請求項１５】
前記測定対象は、前記ＵＥ（１２０）が前記モビリティ測定を実施する周波数を含む、請求項１１から１４のいずれか一項に記載の方法。
【請求項１６】
前記測定対象は、前記ＵＥ（１２０）が前記モビリティ測定を実施するいくつかのセルを含む、請求項１１から１４のいずれか一項に記載の方法。
【請求項１７】
前記ＵＥ（１２０）が、ネットワークノード（１１０）からの設定メッセージ中で前記複数の測定オフセットを受信する、請求項１０から１４のいずれか一項に記載の方法。
【請求項１８】
モビリティ測定を実施するためのユーザ機器（ＵＥ）（１２０）であって、前記ＵＥ（１２０）は、
−単一の測定対象に関連付けられた複数の測定オフセットを受信することであって、前記測定オフセットが、測定リポートをトリガするためのオフセット値を指示し、前記複数の測定オフセットの各々が、それぞれの測定に関係し、前記測定オフセットが、前記ＵＥ（１２０）のためのモビリティ測定のために設定された参照信号タイプ（ＲＳタイプ）ごとに設定される、複数の測定オフセットを受信することと、
−測定リポート送信をトリガするために前記測定オフセットを考慮に入れてモビリティ測定プロセスを実施することと
を行うように設定された、ユーザ機器（ＵＥ）（１２０）。
【請求項１９】
前記ＵＥ（１２０）が、
−ネットワークノード（１１０）からの設定メッセージ中で前記複数の測定オフセットを受信すること
を行うように設定された、請求項１８に記載の、モビリティ測定を実施するための、ＵＥ（１２０）。
【請求項２０】
少なくとも１つのプロセッサ上で実行されたとき、前記少なくとも１つのプロセッサに、請求項１から６および１１から１７のいずれか一項に記載の方法を行わせる命令を備える、コンピュータプログラム製品。
【請求項２１】
少なくとも１つのプロセッサ上で実行されたとき、前記少なくとも１つのプロセッサに、請求項１から６および１１から１７のいずれか一項に記載の方法を行わせる命令を備えるコンピュータプログラム製品を記憶した、コンピュータ可読記憶媒体。
【国際調査報告】
2020530698.tif 000026
2020530698.tif 000027
2020530698.tif 000028
2020530698.tif 000029